(57)【要約】  ネイルポリッシュ塗布装置で使用するためのキットであって、１つまたは複数のネイルポリッシュカプセルを備える。ネイルポリッシュカプセルのそれぞれは、ネイルポリッシュ液を収容するリザーバを画定する本体部と、一体化されたネイルポリッシュ塗布要素を有する非ねじ式取外し可能カバーとを備える。非ねじ式取外し可能カバーは、本体部の上面に機械的に連結されて、上面の開口を封止する。【選択図】  図２Ａ
2020505174.tif 000002
【特許請求の範囲】
【請求項１】
少なくとも１つのネイルポリッシュカプセルを備える、ネイルポリッシュ塗布装置で使用するためのキットであって、
前記少なくとも１つのネイルポリッシュカプセルが、
ネイルポリッシュ液を収容するリザーバを画定する本体部、および
一体化されたネイルポリッシュ塗布要素を有する非ねじ式取外し可能カバー
を備え、
前記非ねじ式取外し可能カバーが、前記本体部の上面に機械的に連結されて、前記上面の開口を封止する、キット。
【請求項２】
前記取外し可能カバーを前記本体部に機械的かつ取外し可能に締結するとき、前記少なくとも１つのネイルポリッシュカプセルの長手方向軸に沿って剛性であり、前記長手方向軸において前記非ねじ式取外し可能カバーが前記本体部に対して動くことを制限する、ロック要素をさらに備える、請求項１に記載のキット。
【請求項３】
前記ロック要素が、前記少なくとも１つのネイルポリッシュカプセルを保管する剛性の容器であり、前記容器の第１の壁部が、前記本体部の下部の外側表面と物理的に接触し、前記第１の壁部に対向する前記容器の第２の壁部が、前記非ねじ式取外し可能カバーの上部の外側表面と物理的に接触する、請求項２に記載のキット。
【請求項４】
前記ロック要素が、前記非ねじ式取外し可能カバーの縁の少なくとも一部に設置された第１の機械的ロック機構、および前記本体部の外辺壁部の少なくとも一部に設置された第２の機械的ロック機構に連結される、請求項２に記載のキット。
【請求項５】
前記ロック要素が、前記第１の機械的ロック機構および前記第２の機械的ロック機構の周りに少なくとも部分的に巻かれる包装シートであり、前記包装シートが、前記包装シートを引き剥がすこと、および前記包装シートに設けられた切取り線を切り取ることのうちの少なくとも一方によって取外し可能である、請求項４に記載のキット。
【請求項６】
前記ロック要素が、少なくとも１つの除去可能クリップを備え、前記少なくとも１つの除去可能クリップが、前記少なくとも１つの除去可能クリップを取り外すこと、動かすこと、回転させること、押圧すること、曲げること、および破断することのうちの少なくとも１つによって除去される、請求項４に記載のキット。
【請求項７】
前記ロック要素が、前記本体部に機械的に連結された第１の磁石と、前記非ねじ式取外し可能カバーに機械的に連結された第２の磁石とを備え、前記第１の磁石と前記第２の磁石の間に生じる磁場により、前記非ねじ式取外し可能カバーが前記本体部に締結される、請求項２に記載のキット。
【請求項８】
前記ロック要素が、前記取外し可能カバーを前記上面に締結する破断可能接着材料を備え、前記破断可能接着材料が、前記取外し可能カバーを回すこと、曲げること、押すこと、および破断することのうちの少なくとも１つによって破断可能である、請求項２に記載のキット。
【請求項９】
前記ロック要素が、前記取外し可能カバーを前記上面に締結する破断可能内側ロック要素を備え、前記破断可能内側ロック要素が、前記本体部の狭窄部分を曲げることによって破断可能である、請求項２に記載のキット。
【請求項１０】
前記ネイルポリッシュ塗布要素が、軸棒および供給ヘッドを備え、前記軸棒の第１の端部が、前記非ねじ式取外し可能カバーの下面に連結し、前記軸棒の第２の端部が、前記供給ヘッドに連結し、前記非ねじ式取外し可能カバーが前記上面に取り付けられているとき、前記軸棒が前記本体部へと突出する、請求項１に記載のキット。
【請求項１１】
前記少なくとも１つのネイルポリッシュカプセルが、前記上面、前記本体部の狭窄部分、および前記軸棒のうちの少なくとも１つに機械的に連結される少なくとも１つの封止要素をさらに備える、請求項１０に記載のキット。
【請求項１２】
前記供給ヘッドが、複数の毛束、弾性の管、固いパイプ、スポンジ、ワイパ、スプレイヘッド、およびこれらのうちの少なくとも２つの組合せからなる群の少なくとも１つの構成要素で構築される、請求項１０に記載のキット。
【請求項１３】
前記ネイルポリッシュ塗布要素と一体化された前記取外し可能カバーを前記本体部に下ろすための載置領域を形成するために、前記軸棒の幅が、前記本体部の狭窄部分の少なくとも１つの内側周方向壁部と少なくとも部分的に接触するように構成される、請求項１０に記載のキット。
【請求項１４】
前記少なくとも１つのネイルポリッシュカプセルが、封止された引裂き可能な箔シートで巻かれた、請求項１に記載のキット。
【請求項１５】
前記ネイルポリッシュ液が、ネイルポリッシュ液、ベースコート液、トップコート液、乾燥材料、ネイルアートポリッシュ液、および医療用ネイルトリートメント液からなる群から選択される構成要素である、請求項１に記載のキット。
【請求項１６】
前記非ねじ式取外し可能カバーは、前記ネイルポリッシュ塗布装置のマウント要素が前記非ねじ式取外し可能カバーを把持できるように形状設定された、少なくとも１つの機械的マウント機構をさらに備え、前記少なくとも１つの機械的マウント機構が、突出部、溝、および窪みからなる群の構成要素である、請求項１に記載のキット。
【請求項１７】
前記本体部が、前記ネイルポリッシュ塗布装置のカプセルコンパートメントに前記本体部をロックできるように形状設定された少なくとも１つの機械的ドッキング機構をさらに備え、前記少なくとも１つの機械的ドッキング機構が、突出部、溝、および窪みからなる群の構成要素である、請求項１に記載のキット。
【請求項１８】
ネイルポリッシュ塗布装置で使用するためのキットの製造方法であって、
ネイルポリッシュ液を収容するように構成されたリザーバを画定する本体部を生産するステップと、
一体化されたネイルポリッシュ塗布要素を有する非ねじ式取外し可能カバーを生産するステップと、
前記ネイルポリッシュ液を前記本体部に入れるステップと、
前記非ねじ式取外し可能カバーを前記本体部の上面に機械的に連結して前記上面の開口を封止するステップとにより、
少なくとも１つのネイルポリッシュカプセルを生産するステップを含む、方法。
【請求項１９】
少なくとも１つの封止要素を生産するステップと、
前記上面、
前記本体部の狭窄部分、および
前記一体化されたネイルポリッシュ塗布要素の供給ヘッドを前記非ねじ式取外し可能カバーに連結する、前記一体化されたネイルポリッシュ塗布要素の軸棒
のうちの少なくとも１つに、前記少なくとも１つの封止要素を機械的に連結するステップとをさらに含む、請求項１８に記載の方法。
【請求項２０】
ロック要素を生産するステップと、
前記ロック要素を機械的かつ取外し可能に連結して前記非ねじ式取外し可能カバーを前記本体部に締結するステップとをさらに含み、
前記ロック要素が、前記少なくとも１つのネイルポリッシュカプセルの長手方向軸に沿って剛性であり、前記長手方向軸において前記非ねじ式取外し可能カバーが前記本体部に対して動くことを制限する、請求項１８に記載の方法。
【請求項２１】
前記入れるステップの前に、前記少なくとも１つのネイルポリッシュカプセルを封止された引裂き可能な箔シートで巻くステップをさらに含む、請求項１８に記載の方法。
【発明の詳細な説明】
【技術分野】
【０００１】
本発明は、そのいくつかの実施形態においては、ネイルポリッシュ自動塗布装置で使用するためのキットに関し、限定はされないがより詳細には、ネイルポリッシュ自動塗布装置で使用するための１つまたは複数のネイルポリッシュカプセルを備えるキットに関する。
【背景技術】
【０００２】
手指の爪および／または足指の爪へのネイルポリッシュの塗布は、古代から実施されてきた。多くの人々、特に女性が、ネイルポリッシュを塗布して自身の手指の爪および／または足指の爪を装飾しているので、手指および／または足指の爪に装飾を施すのは、現代でも変わらない流行である。
【０００３】
従来から、手作業でネイルポリッシュを塗布することが最も一般的な方法である。手作業でネイルポリッシュを塗布するには、いくつかの専門技術、技能、および／または経験が必要とされる場合があり、また時間がかかることがある。加えて、ネイルポリッシュを手作業で自身の爪に塗布するのは、両方の手で技術を身につける必要があることにより身体的に難しい場合があり、足指の爪の場合、うまい具合に効果的に足指に手を伸ばすことも困難な場合がある。多くの人々が手作業で自身にネイルポリッシュを塗布する技術を身につけてきているが、ネイルポリッシュの塗布は、通常はプロのマニキュアリストおよび／またはペディキュアリストによって実施され得る。
【０００４】
技術、および実現技術環境の進歩とともに、ネイルポリッシュの自動塗布は、より一般的で普通のことになり、ネイルポリッシュ自動塗布装置は、ネイルポリッシュを効果的に塗布するために、より多くの使用者によって使用される。
【発明の概要】
【課題を解決するための手段】
【０００５】
本発明の第１の態様によれば、ネイルポリッシュ塗布装置で使用するためのキットが提供され、キットは、１つまたは複数のネイルポリッシュカプセルを備える。ネイルポリッシュカプセルのそれぞれは、ネイルポリッシュ液を収容するリザーバを画定する本体部と、一体化されたネイルポリッシュ塗布要素を有する非ねじ式取外し可能カバーとを備える。非ねじ式取外し可能カバーは、本体部の上面に機械的に連結されて、上面の開口を封止する。
【０００６】
本発明の第２の態様によれば、ネイルポリッシュ塗布装置で使用するためのキットの製造方法であって、
−  ネイルポリッシュ液を収容するように構成されたリザーバを画定する本体部を生産するステップと、
−  一体化されたネイルポリッシュ塗布要素を有する非ねじ式取外し可能カバーを生産するステップと、
−  ネイルポリッシュ液を本体部に入れるステップと
−  非ねじ式取外し可能カバーを本体部の上面に機械的に連結して上面の開口を封止するステップとにより、１つまたは複数のネイルポリッシュカプセルを生産するステップを含む、方法が提供される。
【０００７】
取外し可能カバーを本体部に取り付け／取り外すことがねじ式機構によって利用されず、したがって回転させ、かつ／またはねじ込む複雑な動作および／または機構がネイルポリッシュ塗布装置において必要とされないので、ネイルポリッシュ自動塗布装置により、こうしたキットを簡単に使用することができる。これにより、ネイルポリッシュ塗布装置の複雑さおよび／またはコストを著しく軽減することができる。さらに、ネイルポリッシュ液および／またはその構成要素のうちの１つもしくは複数が本体部から漏れ、かつ／または蒸発するのを防止するために本体部を封止する際、取外し可能カバーを本体部に連結する強度は著しく低くてもよく（たとえば１Ｇ）、したがって、必要とされる取り外す力（ｄｅｔａｃｈｍｅｎｔ  ｆｏｒｃｅ）が著しく小さくなる。したがって、ネイルポリッシュ自動塗布装置には、取り外す力が限定的な、著しく低コストのアクチュエータが備えられてもよく、それによりネイルポリッシュ塗布装置の全体的なサイズが小さなり、したがってネイルポリッシュ塗布装置のコストが低減される。
【０００８】
第１の態様および／または第２の態様の任意選択の一実装形態では、キットは、取外し可能カバーを本体部に機械的かつ取外し可能に締結するとき１つまたは複数のネイルポリッシュカプセルの長手方向軸に沿って剛性であり、かつ長手方向軸において非ねじ式取外し可能カバーが本体部に対して動くことを制限する、ロック要素をさらに備える。カプセルが種々の環境条件、たとえば、温度上昇、低圧、高圧などにさらされるとき、取外し可能カバーを本体部に連結するために用いられている著しく低い機械的連結強度では不十分な場合がある。ロック要素により、本体部を封止する取外し可能カバーが動くことが防止され、これにより、本体部の封止を損なうことなく、極端な環境条件下でキットを保管、輸送、および／またはハンドリングすることが可能になり得る。
【０００９】
第１の態様および／または第２の態様の別の実装形態では、ロック要素は、１つまたは複数のネイルポリッシュカプセルを保管する剛性の容器であり、容器の第１の壁部は、本体部の下部の外側表面と物理的に接触し、第１の壁部に対向する容器の第２の壁部は非ねじ式取外し可能カバーの上部の外側表面と物理的に接触する。剛性の容器は、取外し可能カバーが本体部に対して動くことを効果的に制限することができる。さらに、ネイルポリッシュカプセルは、使用者によって手動で、および／またはネイルポリッシュ塗布装置によって自動で、簡単に容器から回収し、抜き取り、かつ／または取り出すことができる。さらに、容器は、保管、輸送および／または配送のための、カプセルの包装フォームとして機能することができる。
【００１０】
第１の態様および／または第２の態様の別の実装形態では、ロック要素は非ねじ式取外し可能カバーの縁の少なくとも一部に設置された第１の機械的ロック機構、および本体部の外辺壁部の少なくとも一部に設置された第２の機械的ロック機構に連結される。取外し可能カバーおよび／または本体部においてネイルポリッシュカプセルによって利用可能な機械的ロック機構を使用することにより、効果的に、および／または簡単に複数のロック要素を設けて、取外し可能カバーが本体部に対して動くのを制限することが可能になり得る。
【００１１】
第１の態様および／または第２の態様の別の実装形態では、ロック要素は、第１の機械的ロック機構および第２の機械的ロック機構の周りに少なくとも部分的に巻かれる包装シートであり、包装シートは、包装シートを引き剥がすこと、および包装シートに設けられた切取り線を切り取ることのうちの１つまたは複数によって取外し可能である。包装シートは、取外し可能カバーが本体部に対して動くのを効果的に制限することができる。包装シートは、通常は非常に低コストであり、またあてがうのが簡単であり、それにより、ネイルポリッシュカプセル、キットおよび／またはキットの製造プロセスのコストおよび／または複雑さが軽減され得る。
【００１２】
第１の態様および／または第２の態様の別の実装形態では、ロック要素は、１つまたは複数の除去可能クリップを備え、１つまたは複数の除去可能クリップは、１つまたは複数の除去可能クリップを取り外すこと、動かすこと、回転させること、押圧すること、曲げること、および破断することのうちの１つまたは複数によって除去される。クリップは、取外し可能カバーが本体部に対して動くのを効果的に制限することができる。クリップは、通常は非常に低コストであり、またあてがうのが簡単であり、それにより、ネイルポリッシュカプセル、キット、および／またはキットの製造プロセスのコストおよび／または複雑さが軽減され得る。
【００１３】
第１の態様および／または第２の態様の別の実装形態では、ロック要素は、本体部に機械的に連結された第１の磁石と非ねじ式取外し可能カバーに機械的に連結された第２の磁石とを備え、第１の磁石と第２の磁石の間に生じる磁場により非ねじ式取外し可能カバーが本体部に締結される。磁石は、取外し可能カバーが本体部に対して動くのを効果的に制限することができる。取外しは磁場を作り出し、かつ／または無くすことを含む場合があり、これには可動要素は必要とされず、したがって複雑さを軽減し、かつ／またはネイルポリッシュ塗布装置の信頼性を高めることができるので、これら磁石により、ネイルポリッシュ塗布装置において必要とされる場合がある取外しプロセスを単純化することができる。
【００１４】
第１の態様および／または第２の態様の別の実装形態では、ロック要素は、取外し可能カバーを上面に締結する破断可能接着材料を備え、破断可能接着材料は、取外し可能カバーを回すこと、曲げること、押すこと、および破断することのうちの１つまたは複数によって破断可能である。破断可能接着材料は、取外し可能カバーが本体部に対して動くのを効果的に制限することができる。破断可能接着材料により、取外し可能カバーを本体部にロックするための、低コストの解決法が提示され得る。
【００１５】
第１の態様および／または第２の態様の別の実装形態では、ロック要素は、取外し可能カバーを上面に締結する破断可能内側ロック要素を備える。破断可能内側ロック要素は、本体部の狭窄部分を曲げることによって破断可能である。破断可能内側ロック要素は、取外し可能カバーが本体部に対して動くのを効果的に制限することができる。
【００１６】
第１の態様および／または第２の態様の別の実装形態では、ネイルポリッシュ塗布要素は、軸棒および供給ヘッドを備え、軸棒の第１の端部は非ねじ式取外し可能カバーの下面に連結し、軸棒の第２の端部は、供給ヘッドに連結し非ねじ式取外し可能カバーが上面に取り付けられているとき、軸棒は本体部へと突出する。ネイルポリッシュ塗布要素は、本体部に収容されたネイルポリッシュ液に、供給ヘッドを効果的かつ簡単に浸すことができるように形状設定される。これにより、特にネイルポリッシュ塗布要素を移動させてネイルポリッシュ液を捕集することに関して、ネイルポリッシュ塗布装置の設計を著しく単純化することができる。
【００１７】
第１の態様および／または第２の態様の任意選択の一実装形態では、ネイルポリッシュカプセルのうちの１つまたは複数は、上面、本体部の狭窄部分、および軸棒のうちの１つまたは複数に機械的に連結される１つまたは複数の封止要素をさらに備える。封止要素は、本体部の封止を著しく改善して、ネイルポリッシュ液、および／またはネイルポリッシュ液の１つもしくは数の構成要素（たとえば溶剤など）が本体部から漏れ、蒸発し、かつ／または拡散するのを防止することができる。
【００１８】
第１の態様および／または第２の態様の別の実装形態では、供給ヘッドは、複数の毛束、弾性の管、固いパイプ、スポンジ、ワイパ、スプレイヘッド、およびこれらのうちの少なくとも２つの組合せからなる群の１つまたは複数の構成要素で構築される。これにより、任意選択で、それぞれの特定の供給ヘッドとともに使用されるネイルポリッシュ液のタイプおよび／または特性に応じ、供給ヘッドをフレキシブルに実装、設計、構造および／または生産することが可能になり得る。
【００１９】
第１の態様および／または第２の態様の任意選択の一実装形態では、軸棒の幅は、ネイルポリッシュ塗布要素と一体化された取外し可能カバーを本体部に下ろすための載置領域を形成するために、本体部の狭窄部分の１つまたは複数の内側周方向壁部と少なくとも部分的に接触するように構成される。載置領域を提供すると、ネイルポリッシュ塗布装置自体の一部として載置領域を有する必要性が無くなることにより、ネイルポリッシュ塗布装置の設計および／または生産を著しく単純化することができる。
【００２０】
第１の態様および／または第２の態様の任意選択の一実装形態では、ネイルポリッシュカプセルのうちの１つまたは複数は、封止された引裂き可能な箔シートで巻かれる。封止された引裂き可能な箔シートにより、特にキットの保管、ハンドリング、および／または輸送中に、ネイルポリッシュ液、および／またはネイルポリッシュ液の１つもしくは複数の構成要素（たとえば溶剤など）が漏れ、蒸発し、かつ／または拡散することがさらに防止され得る。
【００２１】
第１の態様および／または第２の態様の別の実装形態では、ネイルポリッシュ液は、ネイルポリッシュ液、ベースコート液、トップコート液、乾燥材料、ネイルアートポリッシュ液、および医療用ネイルトリートメント液からなる群から選択される構成要素である。多種多様なネイルポリッシュ液に対応することにより、幅広い顧客市場セグメント、使用者、および／またはネイルポリッシュ塗布プロセス、技法などを対象とすることが可能になり、したがって、ネイルポリッシュカプセルと結びつけられたネイルポリッシュ自動塗布装置を、ネイルポリッシュを塗布する魅力的で効果的な代替手段にすることができる。
【００２２】
第１の態様および／または第２の態様の任意選択の一実装形態では非ねじ式取外し可能カバーは、ネイルポリッシュ塗布装置のマウント要素が非ねじ式取外し可能カバーを把持できるように形状設定された、１つまたは複数の機械的マウント機構をさらに備え、１つまたは複数の機械的マウント機構は、突出部、溝、および窪みからなる群の構成要素である。機械的マウント機構により、ネイルポリッシュ塗布装置の設計を著しく単純化することができ、このネイルポリッシュ塗布装置では、機械的マウント機構を利用して、正確に、および／または簡単に、取外し可能カバーを回収し、把持し、ロックし、かつ／または留めることができる。
【００２３】
第１の態様および／または第２の態様の別の実装形態では、本体部は、ネイルポリッシュ塗布装置のカプセルチャンバに本体部をロックできるように形状設定された、１つまたは複数の機械的ドッキング機構をさらに備え、１つまたは複数の機械的ドッキング機構は、突出部、溝、および窪みからなる群の構成要素である。機械的ドッキング機構により、ネイルポリッシュ塗布装置の設計を著しく単純化することができ、このネイルポリッシュ塗布装置では、機械的マウント機構を利用して、正確に、および／または簡単に、本体部を回収し、把持し、ロックし、かつ／または留めることができる。
【００２４】
第２の態様の任意選択の一実装形態では、生産するステップは、１つまたは複数の封止要素を生産するステップと、
−  上面、
−  本体部の狭窄部分、
−  一体化されたネイルポリッシュ塗布要素の供給ヘッドを非ねじ式取外し可能カバーに連結する、一体化されたネイルポリッシュ塗布要素の軸棒
のうちの１つまたは複数に、１つまたは複数の封止要素を機械的に連結するステップとをさらに含む。
【００２５】
封止要素により、本体部の封止を著しく改善して、ネイルポリッシュ液、および／またはネイルポリッシュ液の１つもしくは複数の構成要素（たとえば溶剤など）が本体部から漏れ、蒸発し、かつ／または拡散するのを防止することができる。
【００２６】
第２の態様の任意選択の一実装形態では、生産するステップは、ロック要素を生産するステップと、ロック要素を機械的かつ取外し可能に連結して非ねじ式取外し可能カバーを本体部に締結するステップとをさらに含む。ロック要素は、１つまたは複数のネイルポリッシュカプセルの長手方向軸に沿って剛性であり、長手方向軸において非ねじ式取外し可能カバーが本体部に対して動くことを制限する。ロック要素により、本体部を封止する取外し可能カバーが動くことが防止され、これにより、本体部の封止を損なうことなく、極端な環境条件下でキットを保管、輸送、および／またはハンドリングすることが可能になり得る。
【００２７】
第２の態様の任意選択の一実装形態では、生産するステップは、入れるステップの前に、ネイルポリッシュカプセルのうちの１つまたは複数を封止された引裂き可能な箔シートで巻くステップをさらに含む。封止された引裂き可能な箔シートにより、特にキットの保管、ハンドリング、および／または輸送中に、ネイルポリッシュ液、および／またはネイルポリッシュ液の１つもしくは複数の構成要素（たとえば溶剤など）が漏れ、蒸発し、かつ／または拡散することがさらに防止され得る。
【００２８】
本発明のいくつかの実施形態について、その例示のみを目的として添付の図面を参照して本明細書に記載する。以下、特に図面を詳細に参照して示す細部は、例示を目的とし、また本発明の実施形態の詳細な説明を目的とすることを強調する。同様に、図面と共に説明を見ることで、本発明の実施形態をどのように実践し得るかが当業者には明らかとなる。
【図面の簡単な説明】
【００２９】
【図１】本発明のいくつかの実施形態による、ネイルポリッシュ塗布装置で使用するための例示的なネイルポリッシュ液保管および供給カプセルの長手方向図である。
【図２Ａ】本発明のいくつかの実施形態による、ネイルポリッシュ塗布装置で使用するためのキットの第１の例示的な実施形態の斜視図および断面図である。
【図２Ｂ】本発明のいくつかの実施形態による、ネイルポリッシュ塗布装置で使用するためのキットの第１の例示的な実施形態の斜視図および断面図である。
【図２Ｃ】本発明のいくつかの実施形態による、ネイルポリッシュ塗布装置で使用するためのキットの第１の例示的な実施形態の斜視図および断面図である。
【図２Ｄ】本発明のいくつかの実施形態による、ネイルポリッシュ塗布装置で使用するためのキットの第１の例示的な実施形態の斜視図および断面図である。
【図３】本発明のいくつかの実施形態による、ネイルポリッシュ塗布装置で使用するためのキットの第２の例示的な実施形態の長手方向図である。
【図４】本発明のいくつかの実施形態による、ネイルポリッシュ塗布装置で使用するためのキットの第３の例示的な実施形態の長手方向図である。
【図５Ａ】本発明のいくつかの実施形態による、ネイルポリッシュ塗布装置で使用するためのキットの第４の例示的な実施形態の長手方向図である。
【図５Ｂ】本発明のいくつかの実施形態による、ネイルポリッシュ塗布装置で使用するためのキットの第５の例示的な実施形態の長手方向図である。
【図６】本発明のいくつかの実施形態による、ネイルポリッシュ塗布装置で使用するためのキットの第６の例示的な実施形態の長手方向図である。
【図７】本発明のいくつかの実施形態による、ネイルポリッシュ塗布装置で使用するためのキットの第７の例示的な実施形態の長手方向図である。
【図８Ａ】本発明のいくつかの実施形態による、ネイルポリッシュ塗布装置で使用するためのネイルポリッシュ液保管および供給カプセルの第１の例示的な実施形態の側面図および縦断面図である。
【図８Ｂ】本発明のいくつかの実施形態による、ネイルポリッシュ塗布装置で使用するためのネイルポリッシュ液保管および供給カプセルの第２の例示的な実施形態の側面図および縦断面図である。
【図８Ｃ】本発明のいくつかの実施形態による、ネイルポリッシュ塗布装置で使用するためのネイルポリッシュ液保管および供給カプセルの第３の例示的な実施形態の側面図および縦断面図である。
【図８Ｄ】本発明のいくつかの実施形態による、ネイルポリッシュ塗布装置で使用するためのネイルポリッシュ液保管および供給カプセルの例示的な封止要素の縦断面図である。
【図９】本発明のいくつかの実施形態による、ネイルポリッシュ塗布装置で使用するためのネイルポリッシュ液保管および供給カプセルの第２の例示的な実施形態の例示的な寸法を含む縦断面図である。
【図１０Ａ】本発明のいくつかの実施形態による、ネイルポリッシュ塗布装置で使用するためのネイルポリッシュ液保管および供給カプセルの第２の例示的な実施形態の縦断面図である。
【図１０Ｂ】本発明のいくつかの実施形態による、ネイルポリッシュ塗布装置で使用するためのネイルポリッシュ液保管および供給カプセルの第２の例示的な実施形態の縦断面図である。
【図１１】本発明のいくつかの実施形態による、ネイルポリッシュ液保管および供給カプセルの例示的なネイルポリッシュ塗布要素の縦断面図である。
【図１２Ａ】本発明のいくつかの実施形態による、１つまたは複数のネイルポリッシュ液保管および供給カプセルを備えるキットから取り出されたネイルポリッシュカプセルを使用するネイルポリッシュ塗布装置の例示的なマウント要素の斜視側面図および斜視正面図である。
【図１２Ｂ】本発明のいくつかの実施形態による、１つまたは複数のネイルポリッシュ液保管および供給カプセルを備えるキットから取り出されたネイルポリッシュカプセルを使用するネイルポリッシュ塗布装置の例示的なマウント要素の斜視側面図および斜視正面図である。
【図１２Ｃ】本発明のいくつかの実施形態による、１つまたは複数のネイルポリッシュ液保管および供給カプセルを備えるキットから取り出されたネイルポリッシュカプセルを使用するネイルポリッシュ塗布装置の例示的なマウント要素の斜視側面図および斜視正面図である。
【図１３Ａ】本発明のいくつかの実施形態による、カプセルの取外し可能カバーと一体化されたネイルポリッシュ塗布をカプセルの本体部に順次挿入する間の、例示的なネイルポリッシュ液保管および供給カプセルの縦断面図である。
【図１３Ｂ】本発明のいくつかの実施形態による、カプセルの取外し可能カバーと一体化されたネイルポリッシュ塗布をカプセルの本体部に順次挿入する間の、例示的なネイルポリッシュ液保管および供給カプセルの縦断面図である。
【図１３Ｃ】本発明のいくつかの実施形態による、カプセルの取外し可能カバーと一体化されたネイルポリッシュ塗布をカプセルの本体部に順次挿入する間の、例示的なネイルポリッシュ液保管および供給カプセルの縦断面図である。
【図１３Ｄ】本発明のいくつかの実施形態による、カプセルの取外し可能カバーと一体化されたネイルポリッシュ塗布をカプセルの本体部に順次挿入する間の、例示的なネイルポリッシュ液保管および供給カプセルの縦断面図である。
【図１４】本発明のいくつかの実施形態による、ネイルポリッシュ塗布装置で使用するための例示的なキットを生産する例示的なプロセスのフローチャートである。
【発明を実施するための形態】
【００３０】
本発明は、そのいくつかの実施形態においては、ネイルポリッシュ自動塗布装置で使用するためのキットに関し、限定はされないがより詳細には、ネイルポリッシュ自動塗布装置で使用するための１つまたは複数のネイルポリッシュカプセルを備えるキットに関する。
【００３１】
本発明のいくつかの実施形態によれば、キット、およびキットの生産方法が提供され、このキットは、１つまたは複数の保管および供給カプセル、具体的には、ネイルポリッシュ液を収容する本体部と、ネイルポリッシュ自動塗布装置で使用するためのネイルポリッシュ塗布要素と一体化された取外し可能カバーとを有する二部カプセルを備える。キットは、取外し可能（たとえば可動、除去可能、破断可能、切取り可能、引裂き可能、屈曲可能、回転可能など）なロック要素をさらに含んで、取外し可能カバーを本体部に物理的に締結し、それによって本体部の上面の開口を封止する取外し可能カバーの運動を制限し、ネイルポリッシュ液、および／またはその構成要素のうちの１つもしくは複数が本体部から漏れ、かつ／または蒸発するのを防止することができる。
【００３２】
取外し可能カバーに一体化されたネイルポリッシュ塗布要素は、取外し可能カバーの下面から突出する軸棒と、使用者の手指および／または足指の１つまたは複数の爪表面にネイルポリッシュ液を塗布するための供給ヘッドとで構築され得る。軸棒の長さは、取外し可能カバーを本体部の上面に取り付けたとき、本体部に収容されたネイルポリッシュ液に供給ヘッドが浸されるよう、本体部の長手方向の寸法に適合される。
【００３３】
カプセルは、通常は、ネイルポリッシュ液を１回塗布することを意図した使い捨てのカプセルでもよく、１つまたは複数のネイルポリッシュ自動塗布装置とともに使用され得る。ネイルポリッシュ塗布装置は、通常は、自動でカプセルを把持し、取外し可能カバーを本体部から取り外し、一体化されたネイルポリッシュ塗布要素を移動させるなどするための１つまたは複数の要素、たとえばカプセルコンパートメント（チャンバ）、マウント要素、アクチュエータ、制御ユニットなどを含む。したがって、カプセルは、ネイルポリッシュ塗布装置が取外し可能カバーおよび／または本体部を回収、把持、ロックなどするのを助ける、１つまたは複数の機械的マウント機構、たとえば突出部、溝、窪みなどを含んでもよい。同様に、カプセルは、ネイルポリッシュ塗布装置のカプセルコンパートメントにカプセルおよび／または本体部をドッキングし、かつ／または留めるのを助ける、１つまたは複数の機械的ドッキング機構、たとえば突出部、溝、窪みなどを含んでもよい。
【００３４】
任意選択で、カプセルは、カプセルの本体部の開口の封止を改善するための、１つまたは複数の封止要素、たとえば軸方向封止要素、半径方向封止要素などを含む。封止要素は、取外し可能カバー、一体化されたネイルポリッシュ塗布要素の軸棒、および／または本体部の上面に機械的に連結され、設置され、かつ／または一体化されてもよい。封止要素は、弾性係数が高い材料で生産されてもよく、それにより、取外し可能カバーを本体部に機械的に連結した後、封止要素により本体部の上面の開口が封止されて、ネイルポリッシュ液が本体部から漏れ、流出し、かつ／または蒸発することが防止される。
【００３５】
取外し可能カバーは、１つまたは複数の技法、方法および／または実装、たとえば圧入、クランプ、クラスプ、締付け、糊付けなどを使用して、本体部に機械的に連結されてもよい。しかし、取外し可能カバーは非ねじ式取外し可能カバーであり、これは、取外し可能カバーが本体部にねじ込まれず、したがって、取外し可能カバーを本体部から取り外すのに、取外し可能カバーおよび／または本体部を回転させる動作が必要とされないことを意味する。
【００３６】
カプセルをハンドリングする際、および／またはネイルポリッシュ塗布セッションに向けてカプセルを準備する際に本体部１０４を封止するのに事足り得る既定の強度および／または力、たとえば１Ｇで、取外し可能カバーを本体部に機械的に連結することができる。この機械的連結強度は、取り外すのに必要とされる力ということになり得、かなり低くなるように（たとえば１Ｇ）設定することができる。
【００３７】
しかし、本体部の内側で追加的に圧力が高まった際、既定された、著しく低い機械的連結強度では、本体部を封止するのに不十分な場合がある。本体部に収容されたネイルポリッシュ液の１つまたは複数の特性、たとえば体積、密度などに影響を与える場合がある、カプセルがさらされる１つまたは複数の周囲環境条件、たとえば圧力、温度などにより、こうした圧力が高まる場合がある。ネイルポリッシュ液の特性の変化により、本体部の内圧が生じる場合があり、これにより取外し可能カバーと本体部の機械的連結の一体性が脅かされる恐れがあり、すなわち取外し可能カバーがいくらか動き、それにより本体部を適切に封止できなくなる場合がある。
【００３８】
これを克服するために、少なくともカプセルの長手方向軸において剛性である、（１つまたは複数の要素を備える）取外し可能ロック要素を設けて、取外し可能カバーを本体部に締結し、カプセルの長手方向軸において取外し可能カバーが本体部に対して動くことを制限する。長手方向軸は、取外し可能カバーが本体部に取り付けられ、かつ／または本体部から取り外される軸である。カプセルを開くために、取外し可能カバーをカプセルの本体部にロックする取外し可能ロック要素を除去することができる。取外し可能ロック要素は、１つまたは複数の取外し技法、たとえば、動かす、除去する、破断する、切り取る、引き裂く、切断する、曲げる、回転させるなどを用いて、使用者によって、および／またはネイルポリッシュ塗布装置によって自動で取り外すことができる。
【００３９】
いくつかの実施形態では、取外し可能ロック要素は、カプセルの寸法に適合された、剛性の容器によって可能になり得る。容器の寸法は、カプセルの寸法に従って、具体的には、カプセルが取外し可能カバーを本体部に機械的に連結した閉状態であるときの、長手方向軸における寸法に従って、定められ、適合され、構成され、かつ／または構築され得る。たとえば、カプセルが縦置きで容器に挿入されたとき、容器の壁部のうちの一方が、本体部の下面の外側表面と物理的に接触し、対向する壁部が、取外し可能カバーの上面の外側表面と物理的に接触するように、容器の対向する壁部間の距離を設定することができる。容器の対向する壁部が本体部の下面および取外し可能カバーの上面と物理的に接触し、また容器が剛性であることにより、長手方向軸における取外し可能カバーの運動は制限され、通常は完全に防止される。任意選択で、容器は、カプセルを容器に挿入している間、および／またはその挿入後、カプセルを指定された場所に配置し、案内し、かつ／または留めるための１つまたは複数の機械的要素、たとえば内側壁部、突出部、溝、窪みなどを含む。容器は、カプセルがその指定された場所から移動し、落下し、かつ／またはずれるのを防止することができるカバーをさらに含んでもよい。
【００４０】
いくつかの実施形態では、本体部および／または取外し可能カバーは、取外し可能カバーおよび／または本体部を締結するために取外し可能ロック要素を設けるのを助ける、１つまたは複数の機械的ロック機構、たとえば突出部、溝、窪みなどを含む。
【００４１】
たとえば、取外し可能ロック要素は、取外し可能カバーおよび／または本体部において利用可能な機械的ロック機構に物理的に連結される、１つまたは複数の切取り線を有する包装シートを含んでもよい。たとえば、包装シートは、取外し可能カバーの縁の少なくとも一部に設置された機械的突出部、および本体部の周方向壁部の少なくとも一部、具体的には取外し可能カバーとの連結領域に隣接する本体部の上部の周りに設置された機械的突出部に連結することができる。したがって包装シートにより、長手方向軸において、取外し可能カバーが本体部に対して動くことが防止される。切取り線を切り取ることにより、取外し可能カバーと本体部の間の連結を解除することができ、したがって、取外し可能カバーを本体部から取り外すことが可能になる。
【００４２】
別の例では、取外し可能ロック要素は、取外し可能カバーを本体部に締結するためにたとえば機械的ロック機構を使用して配置することができる、１つまたは複数の取外し可能クリップを含むことができる。たとえば、クリップは、取外し可能カバーの機械的突出部および本体部の機械的突出部を覆うように配置することができる。したがって、クリップにより、カプセルの長手方向軸において、取外し可能カバーが本体部に対して動くことが防止される。クリップを取り外すことにより、取外し可能カバーと本体部の間の連結を解除することができ、したがって、取外し可能カバーを本体部から取り外すことが可能になる。
【００４３】
別の例では、１つまたは複数の取外し可能ロック要素は、カプセルをその指定された場所に挿入したとき、ロック要素が取外し可能カバーおよび本体部の機械的ロック機構、たとえば取外し可能カバーおよび本体部の機械的突出部と物理的に接触するように、カプセルを保管する容器の一部として形成されてもよい。
【００４４】
任意選択で、カプセルのうちの１つまたは複数は、ネイルポリッシュ液、および／またはネイルポリッシュ液を構成する１つもしくは複数の材料、たとえば溶剤などが漏れ、かつ／または蒸発するのを防ぐために、封止された引裂き可能な箔シート、たとえば金属箔、ポリマー箔などで巻かれる。
【００４５】
ネイルポリッシュ塗布キットにより、大きな利点が提供され得る。第１に、取外し可能カバーを本体部に取り付け／取り外すことがねじ式機構によって利用されず、したがって回転させ、かつ／またはねじ込む複雑な動作および／または機構がネイルポリッシュ塗布装置において必要とされないので、ネイルポリッシュ自動塗布装置により、キットを簡単に使用することができる。これにより、ネイルポリッシュ塗布装置の複雑さおよび／またはコストを著しく軽減することができる。さらに、カプセル、取外し可能カバー、および／または本体部は、ネイルポリッシュ塗布装置が取外し可能カバーおよび／または本体部を回収、把持、ロックなどするのを助ける、機械的マウント機構および／または機械的ドッキング機構を含むように構築される。
【００４６】
さらに、取外し可能と本体部の機械的連結強度が著しく低い（たとえば１Ｇ）ことは、取外し可能カバーを取り外すのに必要とされる取り外す力が著しく小さいということになり得る。したがって、ネイルポリッシュ自動塗布装置には、取り外す力が限定的な、著しく低コストのアクチュエータが備えられてもよく、それによりネイルポリッシュ塗布装置の全体的なサイズが小さくなり、したがってネイルポリッシュ塗布装置のコストが低減される。
【００４７】
さらに、カプセルが種々の環境条件にさらされるとき、著しく低い機械的連結強度では不十分な場合があるが、本体部を封止する取外し可能カバーが動くのを防止するようにロック要素を設計および適合させることにより、本体部の封止を損なうことなく、極端な環境条件下でキットを保管、輸送、および／またはハンドリングすることが可能になり得る。
【００４８】
本発明の少なくとも１つの実施形態を詳細に説明する前に、本発明は、必ずしもその用途が、以下の記載に示す、および／または図面および／または実施例で例示する、構成の詳細および要素の配置および／または方法に限定されるものではないことを理解するべきである。本発明は、他の実施形態が可能であり、また、さまざまな手段で実施または実行することが可能である。
【００４９】
本明細書に記載の、１つまたは複数のネイルポリッシュ液保管および供給カプセルを備え、カプセルを封止するための１つまたは複数のロック要素を任意選択で有するキットは、使用者の爪表面にネイルポリッシュ液を塗布するためのネイルポリッシュ塗布装置によって使用することができる。しかし、当業者は、本発明の全体を通して説明されるものと同じ概念を、複数の他の膜形成用途、たとえば色塗り、保護層の塗布、流体および／または耐水性層の塗布などに使用されるカプセルにおいて使用することができる。
【００５０】
ネイルポリッシュ液保管および供給カプセルのいくつかの実施形態を以下に記載する。しかし、提示される実施形態は、限定的なものと解釈されるべきではない。当業者は、本発明の全体を通して説明されるものと同じ概念を利用する複数の他の実装形態、構造、形状、生産方法などにより、カプセルおよび／またはその一部を実施、構築、構成、および／または生産することができる。さらに、実施形態のうちの１つまたは複数に関して、カプセルの特徴のうちの１つまたは複数を以下に記載する場合があるが、これらの特徴は、明示的に述べられていない場合でも、他の実施形態にも適用可能な場合がある。
【００５１】
次に各図面を参照すると、図１は、本発明のいくつかの実施形態による、ネイルポリッシュ塗布装置で使用するための例示的なネイルポリッシュ液保管および供給カプセルの長手方向図である。例示的なネイルポリッシュ保管および供給カプセル１０２は、使用者の爪表面、たとえば手指の爪および／または足指の爪にネイルポリッシュを１回塗布することを意図した、使い捨てのカプセルでもよい。カプセル１０２は、実際のネイルポリッシュ塗布処理を制御する、１つまたは複数のネイルポリッシュ塗布装置とともに使用することができる。ネイルポリッシュ塗布装置は、本発明の範囲外である。
【００５２】
カプセル１０２は、通常はフラスコ形状の本体部である本体部１０４と、本体部１０４に取り付けられ、かつ／または機械的に連結されて本体部１０４の上面の開口を封止する取外し可能カバー（キャップ）１０６とで構築される、二部カプセルでもよい。本体部１０４は、たとえば円筒、円錐、角錐、箱形、カップ形状など、複数の形状のうちの１つで構築されてもよい。本体部１０４により、ネイルポリッシュ液、たとえばポリッシュ液、ベースコート液、トップコート液、乾燥材料、ネイルアートポリッシュ液、医療用ネイルトリートメント液などを収容するリザーバが画定される。本体部１０４の下面、具体的には本体部１０４の下面の外側表面が符号１１２で示してあり、取外し可能カバー１０６の上面、具体的には取外し可能カバー１０６の上面の外側表面が符号１２０で示してある。
【００５３】
本体部１０４および取外し可能カバー１０６は、１つまたは複数の材料、たとえばポリマー、ガラス、金属、セラミック材料などから生産されてもよい。本体部１０４および／または取外し可能カバー１０６は、ネイルポリッシュ液が空気に触れるのを防止するために、気密封止されてもよい。任意選択で、本体部１０４および／または取外し可能カバー１０６は、ネイルポリッシュ液の１つまたは複数の構成要素、たとえば溶剤が、時が経つにつれて拡散および蒸発するのを防止するために、透過係数が小さいことを特徴とする１つまたは複数の材料から生産されてもよい。
【００５４】
取外し可能カバー１０６はネイルポリッシュ塗布要素と一体化されており、このネイルポリッシュ塗布要素は、取外し可能カバー１０６、通常は取外し可能カバー１０６の下面に機械的に連結および／または一体化することができ、したがって、カプセル１０２が、取外し可能カバー１０６を本体部に取り付けた閉状態であるとき、ネイルポリッシュ塗布要素は、本体部１０４へと突出する。
【００５５】
取外し可能カバー１０６は、１つまたは複数の技法、方法および／または実装、たとえば圧入、クランプ、クラスプ、締付け、糊付けなどにより、本体部１０４に機械的に連結されてもよい。しかし、取外し可能カバー１０６は非ねじ式取外し可能カバーであり、これは、取外し可能カバー１０６が本体部１０４にねじ込まれず、したがって、取外し可能カバー１０６を本体部１０４から取り外し、かつ／または取り付けるのに、取外し可能カバー１０６および／または本体部１０４をねじ込み、かつ／または回転させる動作が必要とされないことを意味する。
【００５６】
カプセル１０２をハンドリングする際、および／またはネイルポリッシュ塗布セッションの準備をする際に本体部１０４を封止するのに事足り得る既定の強度および／または力で、取外し可能カバー１０６を本体部１０４に取り付け、かつ／または機械的に連結することができる。取外し可能カバー１０６と本体部１０４の間の機械的連結の強度は、たとえば取り外す力（たとえば１Ｇ）によって予め定めることができる。しかし、ネイルポリッシュ液を収容する、本体部１０４によって画定されるリザーバにおいてさらに内圧が高まると、既定の機械的連結強度は、取外し可能カバー１０６が動くのを防止するのに十分でなくなり、本体部１０４の開口の封止を損なう恐れがある。カプセル１０２の１つまたは複数の周囲環境条件、たとえば圧力、温度などから生じ得る、リザーバに収容されているネイルポリッシュ液１５０の１つまたは複数の特性、たとえば体積、密度などの変化により、こうした内圧が高まる場合がある。
【００５７】
本体部１０４によって画定されるリザーバの内圧によって引き起こされる取外し可能カバー１０６の運動を制限するために、１つまたは複数の取外し可能ロック要素を設けて、取外し可能カバー１０６を本体部１０４に締結してもよい。カプセル１０２から取外し可能ロック要素を取り外すのは、１つまたは複数の取外しの実装形態、たとえば、除去し、動かし、回転させ、曲げ、破断し、切り取り、引き裂き、捩ることなどを用いて行うことができる。
【００５８】
本体部１０４および／または取外し可能カバー１０６は、取外し可能カバー１０６を本体部１０４に締結するために設けられる取外し可能ロック要素に対応する、１つまたは複数の機械的ロック機構、たとえば、突出部、溝、窪みなどを含むように形状設定、構築、設計および／または構成されてもよい。取外し可能カバー１０６では、機械的ロック機構は、たとえば取外し可能カバー１０６の縁の少なくとも一部に設置されてもよい。本体部１０４では、機械的ロック機構は、たとえば本体部１０４の周方向壁部の少なくとも一部に設置されてもよい。たとえば、取外し可能カバー１０６は、その縁の周りに機械的突出部１２２を含むように形状設定、構築、および／または生産されてもよい。同様に、本体部は、本体部１０４の１つまたは複数の周方向壁部の外側表面の少なくとも一部の周り、具体的には、取外し可能カバー１０６との連結領域に隣接する本体部１０４の上部の周りの外側表面に機械的突出部１１６を含むように形状設定、構築、および／または生産されてもよい。
【００５９】
ロック要素の構造、設計および／または構成、ならびに取外し可能カバー１０６を本体部１０４に締結するようにロック要素を設ける方法、技法および／または実装は様々でよい。これ以降、いくつかの例示的な実施形態を提示するが、他の代替の実装形態、設計、および／または構造が存在する場合があり、提示された実施形態は限定的なものと解釈されるべきではない。
【００６０】
次に、本発明のいくつかの実施形態による、ネイルポリッシュ塗布装置で使用するためのキットの第１の例示的な実施形態の斜視図および断面図である、図２Ａ、図２Ｂ、図２Ｃ、および図２Ｄを参照する。例示的なキット２００Ａは、カプセル１０２などの１つまたは複数のネイルポリッシュ液保管および供給カプセル、たとえば３つのカプセル１０２を保管する、剛性の容器２０２を備える。容器２０２は、カプセル１０２が容器２０２に挿入されている間、取外し可能カバー１０６などの取外し可能カバーを本体部１０４などの本体部に締結するロック要素として機能する。カプセル１０２を容器２０２から抜き取ることは、ロック要素を取り外すことになり得る。
【００６１】
容器２０２の寸法は、閉状態のときのカプセル１０２の寸法、すなわち取外し可能カバー１０６が本体部１０４に機械的に連結され、かつ／または取り付けられているときのカプセル１０２の寸法に従って画定、適合、構成、および／または構築され得る。たとえば、カプセル１０２が縦置きで容器２０２に挿入されたとき、容器２０２の第１の壁部が、底面１１２などの本体部１０４の底面と物理的に接触し、第１の壁部に対向する容器２０２の第２の壁部が、上面１２０などの取外し可能カバー１０６の上面と物理的に接触するように、容器２０２の対向する壁部間の距離を設定することができる。容器２０２の対向する壁部が底面１１２および上面１２０と物理的に接触するので、長手方向軸において、取外し可能カバー１０６が本体部１０４に対して動くことが制限され、かつ／または完全に防止される。
【００６２】
容器２０２は、カプセル１０２を容器２０２に挿入している間、および／またはその挿入後、カプセル１０２を指定された場所に配置し、案内し、かつ／または留めるための１つまたは複数の機械的収納機構２０４、たとえば内側壁部、突出部、溝、窪みなどを含んでもよい。容器２０２は、閉じられるとカプセル１０２が容器２０２のその指定された場所から移動し、落下し、かつ／またはずれるのを防止することができるカバーを含んでもよい。カバーにより、キット２００Ａの包装、保管、輸送、および／またはハンドリングを著しく改善することができる。
【００６３】
次に、本発明のいくつかの実施形態による、ネイルポリッシュ塗布装置で使用するためのキットの第２の例示的な実施形態の長手方向図である図３を参照する。例示的なキット２００Ｂは容器２２０を備え、この容器２２０は、カプセル１０２などの１つまたは複数のネイルポリッシュ液保管および供給カプセル、たとえば３つのカプセル１０２、具体的には本体部１０４などの本体部と取外し可能カバー１０６などの取外し可能カバーとを備える二部カプセル１０２を保管する。容器２２０は、ロック要素として機能する１つまたは複数のロック要素２１２、たとえば各カプセル１０２の取外し可能カバー１０６を各カプセル１０２の各本体部１０４に締結する隔壁ロック要素２１２Ａおよび隔壁ロック要素２１２Ｂを含むように形状設定、適合、構成、および／または構築されてもよい。隔壁ロック要素２１２Ａおよび２１２Ｂのうちの１つまたは複数は、隔壁ロック要素２１２Ａおよび２１２Ｂが容器２２０の一体部品になるように、容器２２０の一部として形成されてもよい。しかし、他の機械的連結技法、たとえば、溶接、糊付け、圧入など。
【００６４】
容器２２０の寸法、ならびに／または隔壁ロック要素２１２の寸法および／もしくは場所、ならびに隔壁ロック要素２１２間の相対的距離は、カプセル１０２のその閉状態のときの寸法に従って画定および設定される。具体的には、取外し可能カバー１０６および／または本体部１０４において利用可能な機械的ロック機構、たとえば、取外し可能カバー１０６の突出部１２２などの機械的突出部、および本体部１０４の突出部１１６などの機械的突出部に対して。
【００６５】
たとえば、隔壁ロック要素２１２Ａおよび２１２Ｂの寸法、ならびに隔壁ロック要素２１２Ａと隔壁ロック要素２１２Ｂの間の距離は、突出部１２２および突出部１１６の寸法および距離に従って構成されてもよい。カプセル１０２がその指定された場所に挿入されたとき、隔壁ロック要素２１２Ａおよび２１２Ｂの各ペアは、機械的ロック機構１２２および１１６と物理的に接触することができる。
【００６６】
別の例では、容器２２０は、隔壁ロック要素２１２Ａおよび／または２１２Ｂの一部のみを含み、容器２２０の１つまたは複数の外側壁部を追加のロック要素として利用するように形状設定、適合、構成、および／または構築されてもよい。たとえば、容器２２０は、突出部１２２の上表面、および／または上面１２０などの取外し可能カバー１０６の上面の外側表面と物理的に接触する隔壁ロック要素２１２を含むように形状設定および／または構築されてもよく、一方、外側壁部は、底面１１２など、本体部１０４の下面の外側表面と物理的に接触する。
【００６７】
その指定された場所に挿入された後、隔壁ロック要素２１２、たとえば隔壁ロック要素２１２Ａおよび／または２１２Ｂにより、特にカプセル１０２の長手方向軸において、取外し可能カバー１０６が本体部１０４に対して動くことが防止される。カプセル１０２を容器２２０から取り外すと、取外し可能カバー１０６と本体部１０４の間の連結が外れ、それにより、取外し可能カバー１０６を本体部１０４から取り外すことが可能になり得る。
【００６８】
任意選択で、容器２２０は、カプセル１０２を容器２０２に挿入している間、および／またはその挿入後、カプセル１０２を指定された場所に配置し、案内し、かつ／または留めるための、機械的収納機構２０４などの１つまたは複数の機械的収納機構、たとえば内側壁部、突出部、溝、窪みなどを含む。容器２２０は、閉じられるとカプセル１０２が容器２０２のその指定された場所から移動し、落下し、かつ／またはずれるのを防止することができるカバーを含んでもよい。
【００６９】
次に、本発明のいくつかの実施形態による、ネイルポリッシュ塗布装置で使用するためのキットの第３の例示的な実施形態の長手方向図である図４を参照する。
【００７０】
例示的なキット２００Ｃ１は、ロック要素として機能する各包装シート２２２Ａでそれぞれがロックされた、カプセル１０２などの１つまたは複数のカプセルを備える。包装シート２２２Ａは、少なくともカプセル１０２の長手方向軸においては著しく剛性である。
【００７１】
包装シート２２２Ａは、本体部１０４および取外し可能カバー１０６の少なくとも一部を覆うように配置され、かつ／またはあてがわれて、取外し可能カバー１０６を本体部１０４に締結およびロックすることができる。具体的には、効果的および／頑強にロックするために、包装シート２２２Ａは、本体部１０４および／または取外し可能カバー１０６において利用可能な機械的ロック機構のうちの１つまたは複数に物理的に連結するように配置され得る。たとえば、包装シート２２２Ａは、突出部１２２など、取外し可能カバー１０６の縁の少なくとも一部に設置される機械的突出部、および突出部１１６など、本体部１０４の周方向壁部の少なくとも一部に設置される機械的突出部にあてがうことができる。具体的には、包装シート２２２Ａのサイズを最小限に抑え、したがって包装シート２２２Ａの信頼性を高め、かつ／または寿命を延ばすために、取外し可能カバー１０６との連結領域に隣接する、本体部１０４の周方向壁部の上部の周りに、突出部１１６を設置することができる。
【００７２】
本体部１０４および取外し可能カバー１０６を覆うように配置した後、包装シート２２２Ａにより、特にカプセル１０２の長手方向軸において、取外し可能カバー１０６が本体部１０４に対して動くことが防止される。包装シート２２２Ａを破断する、たとえば引き剥がす、取り除く、切り取る、かつ／または切断することにより、取外し可能カバー１０６と本体部１０４の間の連結を解除することができ、したがって、取外し可能カバー１０６を本体部１０４から取り外すことが可能になる。
【００７３】
別の例示的な実施形態２００Ｃ２では、取外し可能カバー１０６と本体部１０４の間の連結を破断するために包装シート２２２Ｂを切り取ることを容易化および／または単純化するために、１つまたは複数の切取り線２２４を有する包装シート２２２Ｂを利用する。包装シート２２２Ｂは、包装シート２２２Ａと同様に、本体部１０４および取外し可能カバー１０６に配置し、かつ／またはあてがうことができる。包装シート２２２Ｂの切取り線２２４を破断する、たとえば引き剥がす、切り取る、切断するなどにより、取外し可能カバー１０６と本体部１０４の間の連結を解除することができ、したがって、取外し可能カバー１０６を本体部１０４から取り外すことが可能になる。
【００７４】
包装シート２２２Ａおよび／または包装シート２２２Ｂの破断は、使用者によって手動で、および／またはネイルポリッシュ塗布装置によって自動で行われてもよい。たとえば、ネイルポリッシュ塗布装置は、包装シート２２２Ａおよび／または包装シート２２２Ｂを切断するように設計された切断要素、具体的には鋭利な切断要素、たとえばかみそり形状の要素、ブレードなどを含んでもよい。
【００７５】
次に、本発明のいくつかの実施形態による、ネイルポリッシュ塗布装置で使用するためのキットの第４の例示的な実施形態の長手方向図である図５Ａを参照する。例示的なキット２００Ｄ１は、ロック要素として機能する１つまたは複数のクリップ２３２、たとえばクリップ２３２Ａおよびクリップ２３２Ｂでそれぞれロックされた、カプセル１０２などの１つまたは複数のカプセルを備える。クリップ２３２Ａおよび２３２Ｂは、少なくともカプセル１０２の長手方向軸では著しく剛性である。クリップ２３２Ａおよび２３２Ｂは、１つまたは複数の取外し動作、たとえば、捩り、回転させ、押圧し、抜き取り、外し、破断することなどによって取り外すことができ、取外し動作は、使用者によって手動で、および／またはネイルポリッシュ塗布装置によって自動で実施されてもよい。
【００７６】
クリップ２３２Ａおよび／または２３２Ｂは、取外し可能カバー１０６を本体部１０４に締結するように配置し、かつ／またはあてがうことができ、具体的には、効果的および／頑強にロックするために、本体部１０４および／または取外し可能カバー１０６において利用可能な機械的ロック機構のうちの１つまたは複数を用いて配置することができる。たとえば、クリップ２３２Ａおよび／または２３２Ｂは、突出部１２２など、取外し可能カバー１０６の縁の少なくとも一部に設置される機械的突出部、および突出部１１６など、本体部１０４の周方向壁部の少なくとも一部に設置される機械的突出部と物理的に接触するようにそれぞれ配置され得る。さらに、クリップ２３２Ａおよび／または２３２Ｂのサイズを最小限に抑え、したがってクリップ２３２Ａおよび／または２３２Ｂの信頼性を高め、かつ／または寿命を延ばすために、取外し可能カバー１０６との連結領域に隣接する、本体部１０４の周方向壁部の上部の周りに、突出部１１６を設置することができる。
【００７７】
取外し可能カバー１０６を本体部１０４に締結するように配置した後、クリップ２３２Ａおよび／または２３２Ｂにより、特にカプセル１０２の長手方向軸において、取外し可能カバー１０６が本体部１０４に対して動くことが防止される。クリップ２３２Ａおよび／または２３２Ｂを取り除くことにより、取外し可能カバー１０６と本体部１０４の間の連結を解除することができ、したがって取外し可能カバー１０６を本体部１０４から取り外すことが可能になる。
【００７８】
クリップ２３２Ａおよび／または２３２Ｂを配置し、取り外すのは、複数の技法のうちの１つまたは複数によって実施することができる。たとえば、クリップ２３２Ａおよび／または２３２Ｂは、本体部１０４および／または取外し可能カバー１０６において利用可能な機械的ロック機構に既定のロック圧力で嵌合するように設計、構築、および／または生産された、著しく剛性の単純なクリップでもよい。このような場合、クリップ２３２Ａおよび／または２３２Ｂを機械的ロック機構に装着する既定の力を印加することにより、クリップ２３２Ａおよび／または２３２Ｂを配置することができ、クリップ２３２Ａおよび／または２３２Ｂを機械的ロック機構から取り外す既定の力を印加することにより、クリップを取り外すことができる。別の例では、クリップ２３２Ａおよび／または２３２Ｂは、取外し可能カバー１０６において利用可能な機械的ロック機構を覆うように配置される上方部と、本体部１０４において利用可能な機械的ロック機構を覆うように配置される下方部とを有する二部クリップとして実施されてもよい。その指定された場所に配置された後、クリップ２３２Ａおよび／または２３２Ｂの２つの部分は、１つまたは複数の実装形態、たとえば回転可能なねじ機構、破断部分、切取り部分、ラックおよびピニオンの機構などを使用して互いに取り付けられてもよい。クリップ２３２Ａおよび／または２３２Ｂの２つの部分を互いから取り外すことは、取付けの実装形態により実施することができ、たとえばクリップ２３２Ａおよび／または２３２Ｂの２つの部分のうちの１つまたは複数を（通常は逆の方向に）回転させること、破断部分を破断すること、切取り部分を切り取ることなどを含んでもよい。
【００７９】
次に、本発明のいくつかの実施形態による、ネイルポリッシュ塗布装置で使用するためのキットの第５の例示的な実施形態の長手方向図である図５Ｂを参照する。例示的なキット２００Ｄ２は、ロック要素として機能する１つまたは複数の回転可能クリップ２３２、たとえばクリップ２３２Ｃおよびクリップ２３２Ｄをそれぞれ有する、カプセル１０２などの１つまたは複数のカプセルを備える。回転可能クリップ２３２Ｃおよび２３２Ｄのそれぞれは、回転可能クリップ２３２Ｃおよび２３２Ｄが本体部１０４および取外し可能カバー１０６に対して横方向に動くのを支持する単一のアンカー点において、本体部１０４に連結することができる。クリップ２３２Ｃおよび２３２Ｄは、特に、少なくともカプセル１０２の長手方向軸では、著しく剛性である。
【００８０】
実例２００Ｄ２＿Ａに示す閉状態にあるとき、回転可能クリップ２３２Ａおよび／または２３２Ｂは、取外し可能カバー１０６を本体部１０４に締結して、特にカプセル１０２の長手方向軸において取外し可能カバー１０６が本体部１０４に対して動くのを防止することができる。具体的には、効果的および／または頑強にロックするために、回転可能クリップ２３２Ｃおよび／または２３２Ｄは、本体部１０４および／または取外し可能カバー１０６において利用可能な機械的ロック機構のうちの１つまたは複数と接触することができる。たとえば、回転可能クリップ２３２Ｃおよび／または２３２Ｄは、突出部１２２など、取外し可能カバー１０６の縁の少なくとも一部に設置される機械的突出部、および突出部１１６など、本体部１０４の周方向壁部の少なくとも一部に設置される機械的突出部と物理的に接触するようにそれぞれ配置され得る。さらに、回転可能クリップ２３２Ｃおよび／または２３２Ｄのサイズを最小限に抑え、したがってクリップ２３２Ｃおよび／または２３２Ｄの信頼性を高め、かつ／または寿命を延ばすために、取外し可能カバー１０６との連結領域に隣接する、本体部１０４の周方向壁部の上部の周りに、突出部１１６を設置することができる。
【００８１】
実例２００Ｄ２＿Ｂに示す開状態にあるとき、回転可能クリップ２３２Ｃおよび／または２３２Ｄはアンカー点を中心に横に回転し、それにより、取外し可能カバー１０６と本体部１０４の間のロックが解除される。回転可能クリップ２３２Ｃおよび／または２３２Ｄの回転は、使用者によって手動で、および／またはネイルポリッシュ塗布装置によって自動で実施されてもよい。たとえば、ネイルポリッシュ塗布装置には、ネイルポリッシュセッションおよび／またはその一部のためにカプセル１０２が配置される、カプセルコンパートメントが備えられる場合がある。最初は、回転可能クリップ２３２Ｃおよび／または２３２Ｄは閉状態であり、したがって、取外し可能カバー１０６は本体部１０４に締結されている。カプセルコンパートメントは、回転可能クリップ２３２Ｃおよび／または２３２Ｄの下側に内向きの圧力を印加して、回転可能クリップ２３２Ｃおよび／または２３２Ｄを開状態へと回転させ、それによって取外し可能カバー１０６と本体部１０４の間のロックを解除するように設計、構築、および／または構成されてもよい。別の例では、ネイルポリッシュ塗布装置は、可動要素を使用して回転可能クリップ２３２Ｃおよび／または２３２Ｄを内向きに押圧し、それによって回転可能クリップ２３２Ｃおよび／または２３２Ｄを開状態へと回転させてもよい。
【００８２】
次に、本発明のいくつかの実施形態による、ネイルポリッシュ塗布装置で使用するためのキットの第６の例示的な実施形態の長手方向図である図６を参照する。例示的なキット２００Ｅは、ロック要素として機能する１対または複数対の磁石２４２、たとえば、本体部１０４などの本体部に機械的に連結された第１の磁石２４２Ａ、および取外し可能カバー１０６などの取外し可能カバーに機械的に連結された第２の磁石２４２Ｂを用いてそれぞれロックされた、カプセル１０２などの１つまたは複数のカプセルを備える。第１の磁石２４２Ａおよび第２の磁石２４２は、それぞれ本体部１０４および取外し可能カバー１０６に機械的に連結されて、第１の磁石２４２Ａを第２の磁石２４２に吸引する吸引力を印加する磁場を生じさせるように構成、構築される。したがって、磁場により取外し可能カバー１０６が本体部１０４に締結されて、特にカプセル１０２の長手方向軸において、取外し可能カバー１０６が本体部１０４に対して動くことが防止され得る。
【００８３】
ネイルポリッシュ自動塗布装置は、磁気ロック要素を解除するための手段、たとえば適した磁場を生じさせるように構成された磁気手段を備えるように設計されてもよい。たとえば、カプセル１０２がネイルポリッシュ自動塗布装置のカプセルコンパートメントに配置されると仮定する。カプセルコンパートメントの下部、すなわち本体部１０４の底面１１２の周りから生じる磁場が、第１の磁石２４２Ａによって生じる磁場を打ち消し得る逆の磁気力を印加し、それにより、取外し可能カバー１０６と本体部１０４の間のロックを解除することができる。
【００８４】
次に、本発明のいくつかの実施形態による、ネイルポリッシュ塗布装置で使用するためのキットの第７の例示的な実施形態の長手方向図である図７を参照する。例示的なキット２００Ｆは、取外し可能カバー１０６などの取外し可能カバーと本体部１０４などの本体部の両方に機械的に連結される破断可能内側ロック要素２５２でそれぞれがロックされた、カプセル１０２などの１つまたは複数のカプセルを備える。実例２００Ｆ＿Ａに示すように、破断可能内側ロック要素２５２により、取外し可能カバー１０６が本体部１０４に締結されて、特にカプセル１０２の長手方向軸において、取外し可能カバー１０６が本体部１０４に対して動くことが防止される。実例２００Ｆ＿Ｂに示すように、破断可能内側ロック要素２５２が破断されると、取外し可能カバー１０６と本体部１０４の間のロックが解除され得る。
【００８５】
破断可能内側ロック要素２５２を破断する、たとえば、曲げ、捩り、回転させ、押圧し、引っ張るなどするために、１つまたは複数の実装形態を適用することができる。たとえば、本体部１０４は、少なくとも部分的には弾性係数が高い材料で生産され、それによって本体部１０４の少なくとも一部を曲げ、押圧し、かつ／または捩るのを可能にすることができる。たとえば、本体部１０４の狭窄部分１０５が、少なくとも部分的に、弾性係数が高い材料で生産されてもよい。したがって、狭窄部分１０５は、横に、すなわちカプセル１０２の長手方向軸に対して垂直に曲がり、それによって破断可能内側ロック要素２５２を破断することができる。別の例では、取外し可能カバー１０６が下向きに押圧され、それによって狭窄部分１０５が折り重なり、折れ曲がり、かつ／またはつぶれ、それによって破断可能内側ロック要素２５２を破断することができる。破断可能内側ロック要素２５２の破断は、使用者によって手動で、および／またはネイルポリッシュ塗布装置によって自動で行われてもよい。
【００８６】
ネイルポリッシュ塗布装置で使用するためのキットの別の例示的な実施形態では、破断可能接着材料を使用して、取外し可能カバー１０６を本体部１０４に締結するロック要素が利用されてもよい。破断可能接着材料は、たとえば本体部１０４の上面、取外し可能カバー１０６の底面、その両方などに塗布されてもよく、したがって、破断可能接着材料により、特にカプセル１０２の長手方向軸において、取外し可能カバー１０６が本体部１０４に対して動くことが防止され得る。接着材料を破断する、たとえば、曲げ、捩り、回転させ、押圧し、引っ張るなどするために、１つまたは複数の実装形態を適用することができる。たとえば、取外し可能カバー１０６は、長手方向軸において取外し可能カバー１０６を本体部１０４に対して押し下げることを可能にする突起部を、その底面に有するように形状設定されてもよい。突起部の内側面のうちの１つまたは複数には、破断可能接着材料が塗布され、それによって取外し可能カバー１０６を本体部１０４にロックすることができる。取外し可能カバー１０６を押し下げると破断可能接着材料が破断し、それにより、取外し可能カバー１０６と本体部１０４の間のロックを解除することができる。破断可能接着材料の破断は、使用者によって手動で、および／またはネイルポリッシュ塗布装置によって自動で行われてもよい。
【００８７】
次に、本発明のいくつかの実施形態による、ネイルポリッシュ塗布装置で使用するためのネイルポリッシュ液保管および供給カプセルの例示的な実施形態の側面図および縦断面図を提示する図８Ａ、図８Ｂ、および図８Ｃを参照する。図８Ａ、図８Ｂ、および図８Ｃには、カプセル１０２などのネイルポリッシュ液保管および供給カプセルである、３つの例示的な実施形態１０２Ａ、１０２Ｂ、および１０２Ｃがそれぞれ提示してある。以下ではまとめてカプセル１０２と呼ばれるカプセル１０２Ａ、１０２Ｂおよび１０２Ｃは、構造の種々の代替手段を提示しているが、同じ設計および／または実装の概念が適用されている。当然、構造の他の代替手段が存在し、提示されている実施形態は、限定的なものと解釈されるべきではない。
【００８８】
例示的な二部カプセル１０２（たとえばカプセル１０２Ａ、カプセル１０２Ｂおよび／またはカプセル１０２Ｃ）は、通常はネイルポリッシュ液１５０を収容するフラスコ形状の本体部である、本体部１０４などの本体部と、本体部１０４に取り付けられかつ／または機械的に連結されて本体部１０４の上面１１０の開口１１４を封止する、取外し可能カバー１０６などの取外し可能カバー（キャップ）とを用いて構築することができる。本体部１０４により、ネイルポリッシュ液１５０、たとえばポリッシュ液、ベースコート液、トップコート液、乾燥材料、ネイルアートポリッシュ液、医療用ネイルトリートメント液などを収容するリザーバ１０８が画定される。
【００８９】
取外し可能カバー１０６に一体化されるネイルポリッシュ塗布要素１３０は、通常は、軸棒１３２および供給ヘッド１３４で構築され得る。軸棒１３２の第１の端部は、取外し可能カバー１０６の下面１１８に機械的に連結および／または一体化され、軸棒１３２の第２の端部は、供給ヘッド１３４に機械的に連結および／または一体化される。軸棒１３２は、本体部１０４のサイズに適合する長さになるように構築、生産、および／または設計することができ、したがって、取外し可能カバー１０６を移動させてネイルポリッシュ塗布要素１３０をリザーバ１０８に挿入したとき、供給ヘッド１３４は、リザーバ１０８に収容されたネイルポリッシュ液１５０に浸される。
【００９０】
上に述べたように、取外し可能カバー１０６は、１つまたは複数の技法、方法および／または実装、たとえば圧入、クランプ、クラスプ、締付けなどによって本体部１０４に機械的に連結されてもよい。しかし、取外し可能カバー１０６は非ねじ式取外し可能カバーであり、これは、取外し可能カバー１０６が本体部１０４にねじ込まれず、したがって、取外し可能カバー１０６を本体部１０４から取り外し、かつ／または取り付けるのに、取外し可能カバー１０６および／または本体部１０４をねじ込み、かつ／または回転させる動作が必要とされないということを意味する。たとえば、取外し可能カバー１０６の下面１１８の幅および／または外辺部は、既定のレベルの力で開口１１４に嵌合するように形状設定、設計、構成、および／または構築され得る。取外し可能カバー１０６が開口１１４へと押圧されると、下面１１８の外辺部は本体部１０４の周方向壁部の内側表面と物理的に接触し、したがって、下面１１８の外辺部と本体部１０４の周方向壁部の内側表面との間に保持される圧力により、取外し可能カバー１０６が本体部１０４に機械的に連結される。下面１１８は、少なくとも部分的にリザーバ１０８へと突出して、下面１１８の外辺部と本体部１０４の周方向壁部の内側表面との間の接触表面を制御するようにさらに設計、構成、および／または構築されてもよい。
【００９１】
任意選択で、取外し可能カバー１０６が本体部１０４に機械的に連結され、かつ／または取り付けられたとき、開口１１４を封止するために、取外し可能カバー１０６と本体部１０４の間に１つまたは複数の封止要素１４０が設けられ、かつ／または設置される。封止要素１４０、たとえば軸方向封止要素、半径方向封止要素などは、取外し可能カバー１０６および／または本体部１０４に機械的に連結され、かつ／または一体化されてもよい。たとえば、Ｏリング、環状リングなどの外辺部封止要素１４０が、取外し可能カバー１０６の下面１１８の外辺部の周りに設置されてもよい。別の例では、開口１１４の領域において封止要素１４０が本体部１０４の周方向壁部の内側表面と物理的に接触するように、封止要素１４０は、一体化されたネイルポリッシュ塗布要素１３０の軸棒１３２の周りに、具体的には軸棒１３２の第１の端部に近接して設置される。別の例では、たとえば環状リングなどの外辺部封止要素１４０が、本体部１０４の上面１１０の外辺部の周りに設置されてもよい。別の例では、たとえば環状リング、Ｕ字形状の封止要素などの外辺部封止要素１４０が、開口１１４にごく近接した、本体部１０４の狭窄部分の内側周方向壁部の周りに、少なくとも部分的に設置されてもよい。このような実施形態では、下面１１８を本体部１０４へと押圧することにより、取外し可能カバー１０６を本体部１０４に機械的に連結することができ、それにより、封止要素１４０は、本体部１０４の周方向壁部の内側表面に対して押圧される。封止要素１４０は、弾性係数が高い材料で生産することができ、したがって、取外し可能カバー１０６を本体部１０４に取り付けた後、封止要素１４０は、それらに合うように広がるかまたは縮んで本体部１０４の上面１１０の開口１１４を封止し、それによってネイルポリッシュ液１５０が本体部１０４から流出するのを防止することができる。さらに、本体部１０４に取り付けられたとき、取外し可能カバー１０６の下面１１８と本体部１０４の上面１１０との間に既定のクリアランス（空気間隙）が保たれるように、封止要素１４０を取外し可能カバー１０６、ネイルポリッシュ塗布要素１３０、および／または本体部１０４に設置することができ、封止要素１４０は、このクリアランスにおいて、本体部１０４との連結を保つ。
【００９２】
封止要素１４０は、たとえばＯリング、環状リングなど、別個の部品として設計、構築、および／または生産されてもよい。任意選択で、封止要素１４０は、本体部１０４および／またはネイルポリッシュ塗布要素１３０の一部として、たとえば軸棒１３２を射出する際の２次的な製造ステップとして、軸棒１３２のオーバーモールドとして設計、構築、および／または生産されてもよい。
【００９３】
図８Ｂの詳細図Ａ、および図８Ｃの詳細図Ｂに示してあるように、封止要素１４０のうちの１つまたは複数は、その開いた側をリザーバ１０８のほうに向けたＵ字形状の封止要素として設計、構築、および／または構成されてもよい。
【００９４】
本発明のいくつかの実施形態による、ネイルポリッシュ塗布装置で使用するためのネイルポリッシュ液保管および供給カプセルの例示的な封止要素の縦断面図である図８Ｄも参照する。１つまたは複数の環境条件、たとえば温度の上昇、圧力の低下などにより、ネイルポリッシュ液１５０および／またはその配合材料（たとえば溶剤など）のうちの１つもしくは複数が、１種または複数種の気体を放出する場合がある。このような場合、放出された気体は、通常は、リザーバ１０８の中で開口１１４に向かって上方へと膨張し得る。膨張気体はＵ字形状の封止要素１４０へと進み、Ｕ字形状の封止要素１４０の内側から、Ｕ字形状の封止要素１４０の外側壁部に圧力を印加することができる。その結果、Ｕ字形状の封止要素１４０の外側壁部と本体部１０４および／または軸棒１３２の周方向壁部との間の圧力が高まり、したがって開口１１４の封止をさらに改善することができる。環境条件が変化したとき、たとえば温度が下がったとき、放出された気体の体積も小さくなり、したがって、気体がＵ字形状の封止要素１４０の中へと進むことによって印加される圧力も小さくなり得る。その結果、Ｕ字形状の封止要素１４０の外側壁部と本体部１０４および／または軸棒１３２の周方向壁部との間の圧力も低下し得る。見て取れるように、既定のクリアランス（間隙）が、取り外し可能カバー１０６と本体部１０４の間、具体的には取外し可能カバー１０６の下面１１８と本体部１０４の上面１１０との間に保持される。このクリアランスにより、ネイルポリッシュ液１５０から放出される気体によって引き起こされる膨張および／または圧縮中、Ｕ字形状の弾性封止要素１４０がいくらか動くことが可能になり得る。
【００９５】
次に、本発明のいくつかの実施形態による、ネイルポリッシュ塗布装置で使用するためのネイルポリッシュ液保管および供給カプセルの第２の例示的な実施形態の、例示的な寸法を含む縦断面図である図９を参照する。図９には、実施形態１０２Ｂなど、ネイルポリッシュ液保管および供給カプセルの第２の実施形態での例示的な寸法が提示してある。提示されている寸法はメートル法を採用しており、すべての寸法はミリメートル単位で表されている。図９には、封止要素１４０などの例示的な封止要素の例示的な寸法を含む詳細図Ｃもさらに提示してある。
【００９６】
次に、本発明のいくつかの実施形態による、ネイルポリッシュ塗布装置で使用するためのネイルポリッシュ液保管および供給カプセルの第２の例示的な実施形態の縦断面図である図１０Ａおよび図１０Ｂを参照する。図１０Ａおよび図１０Ｂには、実施形態１０２Ｃなど、ネイルポリッシュ液保管および供給カプセルの第３の実施形態での例示的な寸法が提示してある。提示されている寸法はメートル法を採用しており、すべての寸法はミリメートル単位で表されている。図１０Ｂには、封止要素１４０などの例示的な封止要素の例示的な寸法を含む詳細図Ｄもさらに提示してある。
【００９７】
供給ヘッド１３４は、ネイルポリッシュ液を供給するための１つまたは複数の材料および／または要素、たとえば複数の毛束、弾性の管、固いパイプ、スポンジ、ワイパなどを備えることができる。供給ヘッド１３４は、２つ以上の供給材料および／または供給要素の組合せをさらに備えてもよい。供給材料および／または供給要素は、ネイルポリッシュ液１５０に浸されると、使用者の１つまたは複数の爪表面に塗布することができるネイルポリッシュ液１５０の一部を捕集する。
【００９８】
次に、本発明のいくつかの実施形態による、ネイルポリッシュ液保管および供給カプセルの例示的なネイルポリッシュ塗布要素の縦断面図を提示する図１１を参照する。ネイルポリッシュ塗布要素１３０などの例示的なネイルポリッシュ塗布要素１３０Ａは、軸棒１３２などの軸棒と、複数の毛束を備える、供給ヘッド１３４などの例示的な供給ヘッド１３４Ａとを含む。リザーバ１０８などのリザーバに収容されたネイルポリッシュ液１５０などのネイルポリッシュ液に浸されると、毛束にはネイルポリッシュ液１５０が染み込み、かつ／または付き、それによってネイルポリッシュ液１５０を捕集することができる。ネイルポリッシュ塗布要素１３０などの例示的なネイルポリッシュ塗布要素１３０Ｂは、軸棒１３２などの軸棒と、１つまたは複数の弾性の管を備える、供給ヘッド１３４などの例示的な供給ヘッド１３４Ｂとを含む。ネイルポリッシュ液１５０に浸されると、弾性の管にはネイルポリッシュ液１５０が染み込み、かつ／または付き、それによってネイルポリッシュ液１５０を捕集することができる。ネイルポリッシュ塗布要素１３０などの例示的なネイルポリッシュ塗布要素１３０Ｃは、軸棒１３２などの軸棒と、１つまたは複数の固いパイプを備える、供給ヘッド１３４などの例示的な供給ヘッド１３４Ｃとを含む。ネイルポリッシュ液１５０に浸されると、固い管にはネイルポリッシュ液１５０が染み込み、かつ／または付き、それによってネイルポリッシュ液１５０を捕集することができる。任意選択で、固いパイプのうちの１つまたは複数は中空であり、たとえば、その長手方向軸の少なくとも一部に沿って内部空洞を有するニードルとして形状設定される。ネイルポリッシュ液１５０に浸されると、固い中空パイプは、固い中空パイプの内部空間にネイルポリッシュ液１５０を引き込み（吸い出し）、それによってネイルポリッシュ液１５０を捕集することができる。ネイルポリッシュ塗布要素１３０などの例示的なネイルポリッシュ塗布要素１３０Ｄは、軸棒１３２などの軸棒と、スポンジを備える、供給ヘッド１３４などの例示的な供給ヘッド１３４Ｄとを含む。ネイルポリッシュ液１５０に浸されると、スポンジはネイルポリッシュ液１５０で浸漬され、かつ／または濡らされ、それによってネイルポリッシュ液１５０を捕集することができる。ネイルポリッシュ塗布要素１３０などの例示的なネイルポリッシュ塗布要素１３０Ｅは、軸棒１３２などの軸棒と、ワイパを備える、供給ヘッド１３４などの例示的な供給ヘッド１３４Ｅとを含む。ネイルポリッシュ液１５０に浸されると、ワイパにはネイルポリッシュ液１５０が染み込み、かつ／または付き、それによってネイルポリッシュ液１５０を捕集することができる。ネイルポリッシュ塗布要素１３０などの例示的なネイルポリッシュ塗布要素１３０Ｆは、軸棒１３２などの軸棒と、１つまたは複数のスプレイヘッドを備える、供給ヘッド１３４などの例示的な供給ヘッド１３４Ｆとを含む。ネイルポリッシュ液１５０に浸されると、スプレイヘッドはネイルポリッシュ液１５０で満たされ、それによってネイルポリッシュ液１５０を捕集することができる。
【００９９】
図８Ａ、図８Ｂ、および図８Ｃを再び参照する。
【０１００】
ネイルポリッシュ液保管および供給カプセル１０２は、１つまたは複数のネイルポリッシュ塗布装置によって使用されてもよく、ネイルポリッシュ塗布装置の説明は、本発明の範囲外である。しかし、ネイルポリッシュ塗布装置とネイルポリッシュ液保管および供給カプセル１０２との間の相互作用に関するいくつかの態様を本明細書に記載する。たとえば、ネイルポリッシュ塗布装置がカプセル１０２を簡単に使用できるようにするために、カプセル１０２にいくつかの機械的マウント機構が設けられてもよい。機械的マウント機構は、カプセル１０２、本体部１０４、および／または取外し可能カバー１０６を留め、ロックし、把持し、保持し、抜き取り、振り混ぜ、動かすなどするために、ネイルポリッシュ塗布装置によって使用されてもよい。同様に、ネイルポリッシュ塗布装置のカプセルコンパートメントにカプセルおよび／または本体部をドッキングし、かつ／または留めるのを助けるために、カプセル１０２にいくつかの機械的ドッキング機構が設けられてもよい。
【０１０１】
具体的には、機械的マウント機構および／または機械的ドッキング機構は、本体部１０４および／または取外し可能カバー１０６に設けることができる。たとえば、取外し可能カバー１０６は、取外し可能カバー１０６の外側周方向壁部の両側に１つまたは複数の溝を有するように形状設定、構築、および／または生産されてもよく、それにより、ネイルポリッシュ塗布装置の（それに応じて形状設定された）マウント要素が、取外し可能カバー１０６を把持することができる。別の例では、本体部１０４は、本体部１０４の外側周方向壁部に彫られた１つまたは複数の溝を有するように形状設定、構築、および／または生産されてもよく、それにより、ネイルポリッシュ塗布装置の（それに応じて形状設定された）カプセルコンパートメントに本体部１０４を留め、ロックなどすることができる。
【０１０２】
いくつかの実施形態では、機械的ロック機構のうちの１つまたは複数が、機械的マウント機構および／または機械的ドッキング機構のうちの１つまたは複数として使用されてもよい。たとえば、取外し可能カバー１０６を把持するために、取外し可能カバー１０６の縁を少なくとも部分的に囲むことができる突出部１２２などの機械的突出部が、１つまたは複数のネイルポリッシュ塗布装置の（それに応じて形状設定された）マウント要素によって使用されてもよい。別の例では、本体部１０４の１つまたは複数の周方向壁部の外側表面を少なくとも部分的に囲むことができる、突出部１１６などの機械的突出部を使用して、ネイルポリッシュ塗布装置の（それに応じて形状設定された）カプセルコンパートメントに本体部１０４を留め、ロックなどすることができる。
【０１０３】
次に、本発明のいくつかの実施形態による、１つまたは複数のネイルポリッシュ液保管および供給カプセルを備えるキットから取り出されたネイルポリッシュカプセルを使用するネイルポリッシュ塗布装置の、例示的なマウント要素の斜視側面図および斜視正面図である図１２Ａ、図１２Ｂ、および図１２Ｃを参照する。
【０１０４】
図１２Ａに示すように、例示的なネイルポリッシュ塗布装置の例示的なマウント要素１２０２は、取外し可能カバー１０６などの取外し可能カバー、具体的にはネイルポリッシュ塗布要素１３０などのネイルポリッシュ塗布要素と一体化された取外し可能カバー１０６を受けて収めるように構成された、例示的な固定具１２０４を含むことができる。固定具１２０４は、正確に、および／または繰返し可能に、取外し可能カバー１０６をマウント要素１２０２に確実にマウント、位置決め、および／またはロックするように構成される。たとえば、固定具１２０４は、取外し可能カバー１０６に設置された機械的マウント機構、たとえば突出部１２２などの突出部を受けて収めるように構成された、１つまたは複数の板ばね１２０６、ばねなどを備えてもよい。別の例では、固定具１２０４は、機械的マウント機構の一部として取外し可能カバー１０６に設置された各磁石、電磁石などを吸引するように構成された、１つまたは複数の磁石、電磁石などを含んでもよい。
【０１０５】
図１２Ｂに示すように、マウント要素１２０２は、ネイルポリッシュ塗布装置の１つまたは複数のアクチュエータによって移動されて、カプセル１０２などの二部カプセルを保持するネイルポリッシュ塗布装置のカプセルコンパートメント（チャンバ）へと、固定具１２０４を動かすことができる。カプセル１０２は、ネイルポリッシュ塗布要素１３０などのネイルポリッシュ塗布要素と一体化された、取外し可能カバー１０６などの取外し可能カバー１０６と、本体部１０４などの本体部とを備える。マウント要素１２０２は、固定具１２０４を動かし、たとえば突出部１２２など、取外し可能ヘッド１０６において利用可能な機械的マウント機構のうちの１つまたは複数と噛み合わせることによって固定具１２０４に取外し可能カバー１０６を捕捉し、任意選択でロックする（留める）よう、さらに操作されてもよい。
【０１０６】
図１２Ｃに示すように、マウント要素１２０２は、固定具１２０４にロックされた取外し可能カバー１０６を本体部１０４から取り外すように移動され得る。さらに、マウント要素１２０２は、固定具１２０４にロックされた取外し可能カバー１０６に一体化されている一体化されたネイルポリッシュ塗布要素１３０を、ネイルポリッシュ塗布装置のネイルポリッシュ塗布領域へと動かすように移動され得る。
【０１０７】
マウント要素１２０２は、使用者の爪表面にネイルポリッシュ液１５０を塗布するために、使用者の１つまたは複数の爪表面の上にネイルポリッシュ塗布要素１３０を動かすよう、さらに移動され得る。
【０１０８】
カプセル１０２は、ネイルポリッシュ塗布セッション中のネイルポリッシュ塗布装置の動作を単純化するように、具体的にはマウント要素１２０２などのマウント要素を移動させて取外し可能カバー１０６に一体化されたネイルポリッシュ塗布要素１３０を挿入する動作を単純化するように、さらに設計、形状設定、および／または構築されてもよい。さらに、カプセル１０２は、取外し可能カバー１０６を本体部１０４に一時的に下ろすための、具体的には、ネイルポリッシュ塗布要素１３０を本体部１０４の内側に配置してネイルポリッシュ塗布要素１３０を保護する、本体部１０４の開口を一時的に封止するなどするための、載置領域として機能するように設計、形状設定、および／または構築されてもよい。たとえば別のカプセル１０２が現在使用されている場合、ネイルポリッシュセッションが停止した場合、ネイルポリッシュ塗布装置の動作不良が確認された場合などに、このように下に下ろすことが必要とされる場合がある。次に、本発明のいくつかの実施形態による、カプセルの取外し可能カバーと一体化されたネイルポリッシュ塗布をカプセルの本体部に順次挿入する間の、例示的なネイルポリッシュ液保管および供給カプセルの縦断面図である図１３Ａ、図１３Ｂ、図１３Ｃ、および図１３Ｄを参照する。カプセル１０２などの例示的なネイルポリッシュ液保管および供給カプセルは、本体部１０４などの本体部と、ネイルポリッシュ塗布要素１３０などの一体化されたネイルポリッシュ塗布要素を有する、取外し可能カバー１０６などの取外し可能カバーとを含む。取外し可能カバー１０６を把持し、任意選択で固定具１２０４などの固定具にそれをロックするように、たとえばマウント要素１２０２などのマウント要素を操作することができる。
【０１０９】
ネイルポリッシュ塗布セッション中、ネイルポリッシュ塗布要素１３０を一時的に下に下ろす必要がある場合がある。さらに、本体部１０４の開口１１４などの開口を一時的に封止するために、取外し可能カバー１０６を配置する必要がある場合がある。加えて、本体部１０４によって画定されるリザーバ１０８などのリザーバに収容されたネイルポリッシュ液１５０などのネイルポリッシュ液に、供給ヘッド１３４などの供給ヘッドを浸すために、本体部１０４にネイルポリッシュ塗布要素１３０を挿入する必要がある場合がある
したがって、取外し可能カバー１０６、ネイルポリッシュ塗布要素１３０、および／または本体部１０４は、取外し可能カバー１０６のための載置領域として本体部１０４を役立て、任意選択でネイルポリッシュ塗布要素１３０の本体部１０４への挿入を単純化するように設計、構築、および／または形状設定されてもよい。したがって、具体的には、取外し可能カバー１０６、ネイルポリッシュ塗布要素１３０、および／または本体部１０４は、ネイルポリッシュ塗布要素１３０を本体部１０４に挿入する間、取外し可能カバー１０６およびネイルポリッシュ塗布要素１３０を本体部１０４の長手方向軸に対して平行に保つように設計、構築、および／または形状設定されてもよい。平行な位置決めを保つことにより、ネイルポリッシュ塗布装置のマウント要素１２０２などのマウント要素によって取外し可能カバー１０６を把持するのを著しく簡単にすることができる。これにより、ネイルポリッシュ塗布要素１３０が下に下ろされている間の、開口１１４の一時的な封止も改善することができる。
【０１１０】
たとえば、ネイルポリッシュ塗布要素１３０の軸棒１３２などの例示的な軸棒は、本体部１０４の内側周方向壁部、具体的には本体部１０４の狭窄部分の内側周方向壁部の直径よりもわずかに小さい外径をもつ円錐形状に形状設定されてもよい。
【０１１１】
マウント要素１２０２は、１１４を通し、本体部１０４の上面１１０などの上面に供給ヘッド１３４を挿入するように移動され得る。供給ヘッド１３４をリザーバ１０８に挿入するようにマウント要素１２０２を移動している間、円錐形状の軸棒１３２は、本体部１０４の１つまたは複数の内側周方向壁部の少なくとも一部と物理的に接触し、それによって供給ヘッド１３４をリザーバ１０８へと案内することができる。円錐形状の軸棒１３２と本体部１０４の周方向壁部とが物理的に接触することにより、取外し可能カバー１０６を本体部１０４の上部に一時的に下ろすことが可能になり、それにより、ネイルポリッシュ塗布要素１３０に一体化された取外し可能カバー１０６のための載置領域として、本体部１０４を利用することができる。さらに、軸棒１３２の円錐状の設計により、マウント要素１２０２を移動して供給ヘッド１３４をリザーバ１０８に挿入するのに必要とされる精度レベルを著しく下げることができる。開口１１４の中および／または上のおおよその位置へと供給ヘッド１３４を動かし、ネイルポリッシュ塗布要素１３０をリザーバ１０８に挿入し始めるように、マウント要素１２０２を操作することができる。ネイルポリッシュ塗布要素１３０がリザーバ１０８へと進んでいる間、円錐形状の軸棒１３２は、ネイルポリッシュ塗布要素１３０をその正確な位置へと案内して、供給ヘッド１３４をネイルポリッシュ液１５０に効果的に浸すのを可能にすることができる。
【０１１２】
次に、本発明のいくつかの実施形態による、ネイルポリッシュ塗布装置で使用するための例示的なキットを生産するための例示的なプロセスのフローチャートである図１４を参照する。例示的なプロセス１２００を適用して、ネイルポリッシュ塗布装置で使用するための、たとえばキット２００Ａ、２００Ｂ、２００Ｃ１、２００Ｃ２、２００Ｄ１、２００Ｄ２、２００Ｅおよび／または２００Ｆなどのキットを生産することができる。キットは、任意選択で１つまたは複数の取外し可能ロック要素を用いてロックされる、カプセル１０２などの１つまたは複数のネイルポリッシュ液保管および供給カプセルを備える。
【０１１３】
１４０２に示すように、プロセス１２００は、１つまたは複数のカプセル１０２用の、本体部１０４などの本体部を生産することから始まる。本体部１０４は、１つまたは複数の生産方法、たとえば成形、３Ｄプリンティング、ＣＮＣ機械加工などにより、１つまたは複数の材料、たとえばポリマー、ガラス、金属、セラミック材料などから生産されてもよい。任意選択で、ネイルポリッシュ液１５０などのネイルポリッシュ液の１つまたは複数の構成要素、たとえば溶剤などが、時が経つにつれて本体部１０４を通って拡散し、蒸発するのを防止するために、本体部１０４を生産するために使用される材料のうちの１つまたは複数は、透過係数が小さいことを特徴とする。
【０１１４】
１４０４に示すように、プロセス１２００は、１つまたは複数のカプセル１０２用の、取外し可能カバー１０６などの取外し可能カバーを生産することへと進む。取外し可能カバー１０６は、１つまたは複数の生産方法、たとえば成形、３Ｄプリンティング、ＣＮＣ機械加工などにより、１つまたは複数の材料、たとえばポリマー、ガラス、金属、セラミック材料などから生産されてもよい。任意選択で、ネイルポリッシュ液１５０および／またはその一部が、時が経つにつれて取外し可能カバー１０６を通って拡散し、蒸発するのを防止するために、取外し可能カバー１０６を生産するために使用される材料のうちの１つまたは複数は、透過係数が小さいことを特徴とする。
【０１１５】
任意選択で、取外し可能カバー１０６は、ネイルポリッシュ塗布要素１３０などのネイルポリッシュ塗布要素と一体化される。ネイルポリッシュ塗布要素１３０の、供給ヘッド１３４などの供給ヘッドは、１つまたは複数の生産方法、たとえば成形、３Ｄプリンティング、押出し、ＣＮＣ機械加工などにより、１つまたは複数の材料、たとえば、ポリマー、金属、毛束、生物由来の毛などを使用して生産されてもよい。供給ヘッド１３４Ａなど、供給ヘッド１３４が複数の毛束を備える場合、１つまたは複数の方法、たとえば挟み込み、圧入、ホチキス留め、溶接、ハンダ付け、糊付けなどを適用することにより、ネイルポリッシュ塗布要素１３０の軸棒１３２などの軸棒に毛束を固定することができる。たとえば供給ヘッド１３４Ｂ、１３４Ｃ、１３４Ｄ、１３４Ｅおよび／または１３４Ｆなど、供給ヘッド１３４が１つまたは複数の他の供給要素、たとえば弾性の管、固いパイプ、ワイパ、スポンジおよび／またはスプレイヘッドを備える場合、１つまたは複数の方法、たとえば、挟み込み、圧入、溶接、ハンダ付け、糊付けなどを適用することにより、軸棒１３２に供給要素を固定することができる。通常は、こうした供給要素は軸棒１３２、ネイルポリッシュ塗布要素１３０、および／または一体化された取外し可能カバー１０６の一部であり、１つまたは複数の生産方法、たとえば成形、３Ｄプリンティング、ＣＮＣ機械加工などを使用して生産される単一部品を形成することができる。
【０１１６】
任意選択で、１つまたは複数の封止要素１４０が取外し可能カバー１０６および／または本体部１０４に一体化され、あてがわれ、かつ／または設置されて、取外し可能カバー１０６が本体部１０４に機械的に連結され、かつ／または取り付けられたときに開口１１４を封止する。封止要素１４０は、取外し可能カバー１０６および／または本体部１０４に機械的に連結され、かつ／または一体化され得る。たとえば、Ｏリング、環状リングなどの外辺部封止要素１４０が、取外し可能カバー１０６の下面１１８の外辺部の周りに設置されてもよい。別の例では、開口１１４の領域において封止要素１４０が本体部１０４の周方向壁部の内側表面と物理的に接触するように、一体化されたネイルポリッシュ塗布要素１３０の軸棒１３２の周りに、具体的には軸棒１３２の第１の端部に近接させて、封止要素１４０を設置してもよい。別の例では、たとえば環状リングなどの外辺部封止要素１４０が、本体部１０４の上面１１０の外辺部の周りに設置されてもよい。別の例では、たとえば環状リング、Ｕ字形状の封止要素などの外辺部封止要素１４０が、開口１１４にごく近接した、本体部１０４の狭窄部分の内側周方向壁部の周りに、少なくとも部分的に設置されてもよい。封止要素１４０は、たとえばＯリング、環状リングなど、別個の部品として設計、構築、および／または生産されてもよい。任意選択で、封止要素１４０は、本体部１０４および／またはネイルポリッシュ塗布要素１３０の一部として、たとえば、軸棒１３２を射出する際の２次的な製造ステップとして、軸棒１３２のオーバーモールドとして設計、構築、および／または生産されてもよい。
【０１１７】
１４０６に示すように、ネイルポリッシュ液１５０を本体部１０４に入れる。
【０１１８】
１４０８に示すように、取外し可能カバー１０６を本体部１０４に機械的に連結する。取外し可能カバー１０６は、本体部１０４に機械的に連結される。取外し可能カバー１０６は、１つまたは複数の方法、技法、および／または実装、たとえば圧入、クランプ、クラスプ、締付けなどを適用することにより、本体部１０４に機械的に連結され得る。たとえば、取外し可能カバー１０６の寸法は、既定のレベルの力で本体部に嵌合するように構成され、かつ／または定められてもよい。任意選択で、取外し可能カバー１０６および／または本体部１０４に封止要素１４０が設置される場合、取外し可能カバー１０６は、本体部１０４に既定のクリアランス（空気間隙）で取り付けられるように構成されてもよく、封止要素１４０は、このクリアランスにおいて、既定のレベルの力で連結を保つように構成される。さらに、取外し可能カバー１０６がネイルポリッシュ塗布要素１３０と一体化される場合、軸棒１３２は、本体部１０４の上面１１０などの上面の、開口１１４などの開口に嵌合するように構成および／または形状設定され得る。取外し可能カバー１０６と本体部１０４の間の機械的連結の強度は、取り外す力（たとえば１Ｇ）によって予め定めることができる。
【０１１９】
任意選択のステップである１４１０に示すように、取外し可能ロック要素を生産してもよい。本明細書において上に記載したように、取外し可能ロック要素には、ロック要素をカプセル１０２から取り外すための複数の取外し技法、方法および／または実装、たとえば除去し、動かし、破断し、切り取り、引き裂き、回転させ、押圧し、捩るなどのうちの１つまたは複数が適用され得る。ロック要素の例示的な実施形態には、たとえば、容器２０２、ならびに／または１つもしくは複数の隔壁ロック要素２１２、包装シート２２２Ａおよび／もしくは２２２Ｂなどの包装シート、クリップ２３２などのクリップ、磁石２４２などの磁石、破断可能内側ロック要素２５２などの破断可能内側ロック要素などを有する容器２２０などの容器が含まれ得る。ロック要素は、１つまたは複数の生産方法、たとえば、成形、３Ｄプリンティング、ＣＮＣ機械加工などにより、１つまたは複数の材料、たとえばポリマー、ガラス、金属、セラミック材料などから生産されてもよい。
【０１２０】
ロック要素の寸法は、カプセル１０２の寸法に従って定められ、適合され、構成され、かつ／または構築され得る。たとえば、容器２０２の場合、カプセル１０２が縦置きで容器２０２に挿入されたとき、容器２０２の第１の壁部が底面１１２などの本体部１０４の底面と物理的に接触し、第１の壁部に対向する容器２０２の第２の壁部が上面１２０などの取外し可能カバー１０６の上面と物理的に接触するように、容器２０２の対向する壁部間の距離を設定することができる。別の例では、容器２２０の場合、取外し可能カバー１０６の突出部１２２などの突出部の外側面と、本体部１０４の突出部１１６などの突出部の外側面との間の距離に従って、対向する隔壁ロック要素２１２Ａと隔壁ロック要素２１２Ｂとの間の距離を設定することができる。別の例では、包装シート２２２Ｂの幅は、突出部１２２の外側面と突出部１１６の外側面との間の距離に従って設定することができる。別の例では、クリップ２３２の幅の寸法は、突出部１２２の外側面と突出部１１６の外側面との間の距離に従って設定することができる。
【０１２１】
容器２０２および／または容器２２０は、カプセル１０２を容器２０２に挿入している間、および／またはその挿入後、カプセル１０２を指定された場所に配置し、案内し、かつ／または留めるための、機械的収納機構２０４などの１つまたは複数の機械的収納機構を含んでもよい。任意選択で、容器２０２および／または容器２２０は、閉じられるとカプセル１０２が容器２０２のその指定された場所から移動し、落下し、かつ／またはずれるのを防止することができるカバーを含んでもよい。
【０１２２】
任意選択のステップである１４１２に示すように、取外し可能ロック要素をカプセル１０２に設置する。たとえば、取外し可能ロック要素が容器２０２および／または容器２２０によって利用される場合、カプセル１０２は、容器２０２および／または容器２２０のその指定された場所にそれぞれ挿入されて、取外し可能カバー１０６を本体部１０４に締結およびロックすることができる。容器２０２および／または容器２２０がカバーを含む場合、カプセル１０２が挿入された後、カバーが閉じられてもよい。別の例では、取外し可能ロック要素が包装シート２２２Ａまたは２２２Ｂを含む場合、包装シート２２２Ａまたは２２２Ｂは、取外し可能カバー１０６および本体部を覆うように、たとえば突出部１２２および突出部１１６を覆うように設置されて、取外し可能カバー１０６を本体部１０４に締結およびロックすることができる。別の例では、取外し可能ロック要素が、たとえばクリップ２３２Ａおよび／またはクリップ２３２Ｂなどのクリップ２３２を含む場合、クリップ２３２Ａおよび／またはクリップ２３２Ｂは、取外し可能カバー１０６および本体部に、たとえば突出部１２２および突出部１１６に配置され、取り付けられ、固着されるなどして、取外し可能カバー１０６を本体部１０４に締結およびロックすることができる。別の例では、取外し可能ロック要素が、磁石２４２、たとえば磁石２４２Ａなどの磁石および磁石２４２Ｂなどの磁石を含む場合、本体部１０４および取外し可能カバー１０６にそれぞれ磁石２４２Ａおよび磁石２４２Ｂを一体化し、連結し、配置し、取り付け、固着するなどすることができる。別の例では、取外し可能ロック要素が破断可能内側ロック要素２５２を含む場合、ステップ１４０８に記載されているように取外し可能カバー１０６を本体部１０４に連結する際、破断可能内側ロック要素２５２は、取外し可能カバー１０６を本体部１０４にロックするように連結され、配置され、取り付けられ、固着されるなどしてもよい。
【０１２３】
任意選択で、カプセル１０２のうちの１つまたは複数は、封止された引裂き可能な箔シート、たとえば金属箔、ポリマー箔などで巻かれる。このような場合、ロック要素のうちの１つまたは複数、たとえば容器２０２および／または容器２２０の寸法は、箔シートで巻かれたカプセル１０２を挿入することが可能になるように、対向する壁部間、および／または隔壁ロック要素２１２間の距離を設定するようにさらに定められ、適合され、構成され、かつ／または構築され得る。包装シート２２２Ｂおよび／またはクリップ２３２の場合には、カプセル１０２は、ロック要素が設けられた後、たとえば、包装シート２２２Ｂを設置した後、および／またはクリップ２３２が固着された後に、引き裂ける箔シートで巻かれ、封止されてもよい。
【０１２４】
「具備する（ｃｏｍｐｒｉｓｅｓ）」、「具備している（ｃｏｍｐｒｉｓｉｎｇ）」、「含む（ｉｎｃｌｕｄｅｓ）」、「含む（ｉｎｃｌｕｄｉｎｇ）」、「有する（ｈａｖｉｎｇ）」という用語およびその活用形は、「限定されるものではないが、含む（ｉｎｃｌｕｄｉｎｇ  ｂｕｔ  ｎｏｔ  ｌｉｍｉｔｅｄ  ｔｏ）」を意味する。
【０１２５】
「からなる」という用語は、「含み、限定される」ことを意味する。
【０１２６】
「から実質的になる」という用語は、組成物、方法または構造が追加の成分、工程および／または部分を含み得ることを意味する。但しこれは、追加の成分、工程および／または部分が、請求項に記載の組成物、方法または構造の基本的かつ新規な特性を実質的に変更しない場合に限られる。
【０１２７】
本明細書において、単数形を表す「ａ」、「ａｎ」および「ｔｈｅ」は、文脈が明らかに他を示さない限り、複数をも対象とする。
【０１２８】
本願全体を通して、本発明のさまざまな実施形態は、範囲形式にて示され得る。範囲形式での記載は、単に利便性および簡潔さのためであり、本発明の範囲の柔軟性を欠く制限ではないことを理解されたい。したがって、範囲の記載は、可能な下位の範囲の全部、およびその範囲内の個々の数値を特異的に開示していると考えるべきである。例えば、１〜６といった範囲の記載は、１〜３、１〜４、１〜５、２〜４、２〜６、３〜６等の部分範囲のみならず、その範囲内の個々の数値、例えば１、２、３、４、５および６も具体的に開示するものとする。これは、範囲の大きさに関わらず適用される。
【０１２９】
本明細書において数値範囲を示す場合、それは常に示す範囲内の任意の引用数（分数または整数）を含むことを意図する。第１の指示数と第２の指示数「との間の範囲」という表現と、第１の指示数「から」第２の指示数「までの範囲」という表現は、本明細書で代替可能に使用され、第１の指示数および第２の指示数と、それらの間の分数および整数の全部を含むことを意図する。
【０１３０】
明確さのために別個の実施形態に関連して記載した本発明の所定の特徴はまた、１つの実施形態において、これら特徴を組み合わせて提供され得ることを理解されたい。逆に、簡潔さのために１つの実施形態に関連して記載した本発明の複数の特徴はまた、別々に、または任意の好適な部分的な組み合わせ、または適当な他の記載された実施形態に対しても提供され得る。さまざまな実施形態に関連して記載される所定の特徴は、その要素なしでは特定の実施形態が動作不能でない限り、その実施形態の必須要件であると捉えてはならない。
【０１３１】
本発明をその特定の実施形態との関連で説明したが、多数の代替、修正および変種が当業者には明らかであろう。したがって、そのような代替、修正および変種の全ては、添付の特許請求の範囲の趣旨および広い範囲内に含まれることを意図するものである。
【０１３２】
本明細書で言及した全ての刊行物、特許および特許出願は、個々の刊行物、特許および特許出願のそれぞれについて具体的且つ個別の参照により本明細書に組み込む場合と同程度に、それらの全体が参照により本明細書に組み込まれる。加えて、本願におけるいかなる参考文献の引用または特定は、このような参考文献が本発明の先行技術として使用できることの容認として解釈されるべきではない。また、各節の表題が使用される範囲において、必ずしも限定として解釈されるべきではない。
【０１３３】
関連出願
本出願は、米国特許法第１１９条（ｅ）の下で、「Ｂｒｕｓｈ  Ｉｎｔｅｇｒａｔｅｄ  Ｃａｐｓｕｌｅ  ｗｉｔｈ  Ｆｉｌｍ−Ｆｏｒｍｉｎｇ  Ｐｏｌｙｍｅｒ  ｆｏｒ  Ｎａｉｌ  Ｐｏｌｉｓｈｉｎｇ」と題する２０１７年１月３１日出願の米国特許仮出願第６２／４５２，４６１号明細書の優先権の利益を主張し、その内容を参照により本明細書に全体として援用する。
【０１３４】
本出願は、米国特許法第１１９条（ｅ）の下で、「Ａｕｔｏｍａｔｅｄ  Ｎａｉｌ  Ｐｏｌｉｓｈ  Ａｐｐｌｉｃａｔｉｏｎ  Ａｐｐａｒａｔｕｓ」と題する２０１７年７月１８日出願の米国特許仮出願第６２／５３３，７２０号明細書の優先権の利益を主張し、その内容を参照により本明細書に全体として援用する。
【０１３５】
本出願は、米国特許法第１１９条（ｅ）の下で、「Ｎａｉｌ  Ｐｏｌｉｓｈ  Ｋｉｔ  ｆｏｒ  Ｕｓｅ  ｂｙ  ａｎ  Ａｕｔｏｍａｔｅｄ  Ｎａｉｌ  Ｐｏｌｉｓｈ  Ａｐｐｌｉｃａｔｉｏｎ  Ａｐｐａｒａｔｕｓ」と題する２０１７年１０月１９日出願の米国特許仮出願第６２／５７４，２４１号明細書の優先権の利益を主張し、その内容を参照により本明細書に全体として援用する。
【図１】
2020505174.tif 000003
【図２Ａ】
2020505174.tif 000004
【図２Ｂ】
2020505174.tif 000005
【図２Ｃ】
2020505174.tif 000006
【図２Ｄ】
2020505174.tif 000007
【図３】
2020505174.tif 000008
【図４】
2020505174.tif 000009
【図５Ａ】
2020505174.tif 000010
【図５Ｂ】
2020505174.tif 000011
【図６】
2020505174.tif 000012
【図７】
2020505174.tif 000013
【図８Ａ】
2020505174.tif 000014
【図８Ｂ】
2020505174.tif 000015
【図８Ｃ】
2020505174.tif 000016
【図８Ｄ】
2020505174.tif 000017
【図９】
2020505174.tif 000018
【図１０Ａ】
2020505174.tif 000019
【図１０Ｂ】
2020505174.tif 000020
【図１１】
2020505174.tif 000021
【図１２Ａ】
2020505174.tif 000022
【図１２Ｂ】
2020505174.tif 000023
【図１２Ｃ】
2020505174.tif 000024
【図１３Ａ】
2020505174.tif 000025
【図１３Ｂ】
2020505174.tif 000026
【図１３Ｃ】
2020505174.tif 000027
【図１３Ｄ】
2020505174.tif 000028
【図１４】
2020505174.tif 000029
【国際調査報告】
2020505174.tif 000030
2020505174.tif 000031